(57)【要約】【課題】  転送された画像や撮影画像をカレンダ上にスケジュールと連動させて表示し得る、画像表示装置、撮像装置、カレンダ表示方法、及びプログラムの提供  【解決手段】  パソコン３００に表示された画像３０１をデジタルカメラ１００に転送する際、カレンダ表示する日付等のスケジュールを入力し画像３０１と共に送信するとデジタルカメラ１００は受信した画像３０１をＤＲＡＭ１４に取り込み、画像３０１を縮小してデジタルカメラ１００の表示部４０に表示されているカレンダの日付欄のうち受信した指定日時に対応する日付欄に表示する。また、確認操作があると画像３０１をメモリーカード５１に保存記録すると共に表示用テーブルに指定日付等の各テーブルデータを記憶する。パソコン３０１から転送する画像は写真だけでなく、検索結果や目的地の地図、予定表のキャプチャー等でもよい。また、静止画だけでなく動画でもよい。【選択図】  図１７
2006050176.tif 000002
【特許請求の範囲】
【請求項１】
メモリに記録されている画像を再生し、再生された画像を表示する画像表示装置において、
外部装置から送信されるカレンダ表示日付及び画像を受信する受信手段と、
この受信手段により受信した画像を前記カレンダ表示日付に対応付けて表示可能に加工してカレンダ表示用画像を得る画像加工手段と、
前記受信した画像及び前記カレンダ表示用画像を保存メモリに記録する記録手段と、
前記記録した画像及び前記カレンダ表示用画像を前記カレンダ表示日付に関連付けた情報を保存メモリに登録するカレンダ表示用情報登録手段と、
前記カレンダ表示日付を含むカレンダを表示するカレンダ表示手段と、
前記カレンダの日付のうち前記カレンダ表示日付に対応付けて前記カレンダ表示用画像を表示するカレンダ表示画像表示手段と、
を備えたことを特徴とする画像表示装置。
【請求項２】
メモリに記録されている画像を再生し、再生された画像を表示する画像表示装置において、
外部装置から送信されるカレンダ表示日付、カレンダ表示用データ、及び画像を受信する受信手段と、
この受信手段により受信したカレンダ表示データを前記カレンダの日付に対応付けて表示可能に加工してカレンダ表示用画像を得る画像加工手段と、
前記受信した画像及び前記カレンダ表示用画像を保存メモリに記録する記録手段と、
前記記録した画像及び前記カレンダ表示用画像を前記カレンダ表示日付に関連付けた情報を保存メモリに登録するカレンダ表示用情報登録手段と、
前記カレンダ表示日付を含むカレンダを表示するカレンダ表示手段と、
前記カレンダの日付のうち前記受信したカレンダ表示日付に対応付けて前記カレンダ表示用画像を表示するカレンダ表示画像表示手段と、
を備えたことを特徴とする画像表示装置。
【請求項３】
メモリに記録されている画像を再生し、再生された画像を表示する画像表示装置において、
外部装置から送信される画像を受信する受信手段と、
この受信手段による画像の受信の際に、この画像をカレンダと対応付けて表示するカレンダ表示日付を設定する表示日付手段と、
この受信手段により受信した画像を前記カレンダの日付に対応付けて表示可能に加工してカレンダ表示用画像を得る画像加工手段と、
前記受信した画像及び前記カレンダ表示用画像を保存メモリに記録する記録手段と、
前記記録した画像及び前記カレンダ表示用画像を前記カレンダ表示日付に関連付けた情報を保存メモリに登録するカレンダ表示用情報登録手段と、
前記カレンダ表示日付を含むカレンダを表示するカレンダ表示手段と、
前記カレンダの日付のうち前記カレンダ表示日付が示す日付に対応付けて前記カレンダ表示用画像を表示するカレンダ表示画像表示手段と、
を備えたことを特徴とする画像表示装置。
【請求項４】
メモリに記録されている画像を再生し、再生された画像を表示する画像表示装置において、
外部装置から送信されるカレンダ表示用データ及び画像を受信する受信手段と、
この受信手段による画像の受信の際に、この画像をカレンダと対応付けて表示するカレンダ表示日付を設定する表示日付設定手段と、
この受信手段により受信したカレンダ表示データを前記カレンダの日付に対応付けて表示可能に加工してカレンダ表示用画像を得る画像加工手段と、
前記受信した画像及び前記カレンダ表示用画像を保存メモリに記録する記録手段と、
前記記録した画像及び前記カレンダ表示用画像を前記カレンダ表示日付に関連付けた情報を保存メモリに登録するカレンダ表示用情報登録手段と、
前記カレンダ表示日付を含むカレンダを表示するカレンダ表示手段と、
前記カレンダの日付のうち前記表示日付に対応付けて前記カレンダ表示用画像を表示するカレンダ表示画像表示手段と、
を備えたことを特徴とする画像表示装置。
【請求項５】
前記受信手段は、更に、外部装置から送信される音響データを受信することを特徴とする請求項１乃至４のいずれか１項に記載の画像表示装置。
【請求項６】
前記受信手段は、更に、外部装置から送信されるテキストデータを受信することを特徴とする請求項１乃至４のいずれか１項に記載の画像表示装置。
【請求項７】
前記表示日付は日時であることを特徴とする請求項１乃至４のいずれか１項に記載の画像表示装置。
【請求項８】
前記表示日付は曜日であることを特徴とする請求項１乃至４のいずれか１項に記載の画像表示装置。
【請求項９】
前記表示日付は期間からなることを特徴とする請求項１乃至４のいずれか１項に記載の画像表示装置。
【請求項１０】
前記表示日付は、日、曜日、又は期間の繰り返しからなることを特徴とする請求項１乃至４のいずれか１項に記載の画像表示装置。
【請求項１１】
被写体を撮影してメモリに記録する撮像装置において、
被写体像を撮影して撮影画像を保存メモリに記録する画像撮影手段と、
前記画像撮影手段によって撮影された撮影画像をカレンダと対応付けて表示するためのカレンダ表示日付を設定する表示日付設定手段と、
前記撮影画像を前記カレンダの日付に対応付けて表示可能に加工してカレンダ表示用画像を得る画像加工手段と、
前記カレンダ表示用画像を保存メモリに記録する記録手段と、
前記記録した撮影画像及び前記カレンダ表示用画像を前記表示日付に関連付けた情報を保存メモリに登録するカレンダ表示用情報登録手段と、
前記カレンダ表示日付を含むカレンダを表示するカレンダ表示手段と、
前記カレンダの日付のうち前記カレンダ表示日付に対応付けて前記カレンダ表示用画像を表示するカレンダ表示画像表示手段と、
を備えたことを特徴とする撮像装置。
【請求項１２】
更に、音響を入力する音響入力手段を備えたことを特徴とする請求項１１記載の撮像装置。
【請求項１３】
更に、テキストデータを入力するテキストデータ入力手段を備えたことを特徴とする請求項１１記載の撮像装置。
【請求項１４】
外部装置から送信される画像のカレンダ表示方法であって、
外部装置から送信されるカレンダ表示日付及び画像を受信したとき、受信した画像及び該画像にかかわる情報を保存メモリに記録すると共に前記記録した画像及び該画像にかかわる情報を前記受信したカレンダ表示日付に関連付けた情報を保存メモリに登録し、
カレンダ表示の際、前記カレンダ表示日付を含むカレンダを表示し、該カレンダの日付のうち前記カレンダ表示日付と同じ日付に対応付けて前記画像にかかわる情報を表示する、
ことを特徴とするカレンダ表示方法。
【請求項１５】
外部装置から送信される画像のカレンダ表示方法であって、
外部装置から送信される画像を受信したとき、この画像をカレンダと対応付けて表示するカレンダ表示日付を設定し、
前記受信した画像及び前記画像にかかわる情報を保存メモリに記録すると共に前記記録した画像及び該画像にかかわる情報を前記カレンダ表示日付に関連付けた情報を保存メモリに登録し、
カレンダ表示の際、前記カレンダ表示日付を含むカレンダを表示し、該カレンダの日付のうち前記カレンダ表示日付と同じ日付に対応付けて前記受信した画像にかかわる情報を表示する、
ことを特徴とするカレンダ表示方法。
【請求項１６】
撮影画像のカレンダ表示方法であって、
被写体像を撮影して撮影画像を保存メモリに記録する際、この撮影画像をスケジュール表示するためのスケジュール表示日付を設定し、
前記撮影画像にかかわる情報を保存メモリに記録すると共に前記記録した撮影画像及び該撮影画像にかかわる情報を前記スケジュール表示日付に関連付けた情報を保存メモリに登録し、
カレンダ表示の際、前記スケジュール表示日付を含むカレンダを表示し、該カレンダの日付のうち前記スケジュール表示日付と同じ日付に対応付けて前記撮影画像にかかわる情報を表示する、
ことを特徴とするカレンダ表示方法。
【請求項１７】
外部装置から送信される画像をカレンダ表示する画像表示装置において実行可能なプログラムであって、
外部装置から送信されるカレンダ表示日付及び画像を受信させるプログラムステップと、
前記受信した画像及び前記画像にかかわる情報を保存メモリに記録させるプログラムステップと、
前記記録した画像及び該画像にかかわる情報を前記カレンダ表示日付に関連付た情報を保存メモリに登録させるプログラムステップと、
カレンダ表示の際、前記カレンダ表示日付を含むカレンダを表示させるプログラムステップと、
前記カレンダ表示日付を含むカレンダの日付のうちの前記カレンダ表示日付と同じ日付に対応付けて前記受信した画像にかかわる情報を表示させるプログラムステップと、
を備えたことを特徴とするプログラム。
【請求項１８】
外部装置から送信される画像をカレンダ表示する画像表示装置において実行可能なプログラムであって、
外部装置から送信される画像を受信させるプログラムステップと、
外部装置から送信される画像を受信したとき、この画像をカレンダと対応付けて表示するカレンダ表示日付を設定させるプログラムステップと、
前記受信した画像及び前記画像にかかわる情報を保存メモリに記録させるプログラムステップと、
前記記録した画像及び該画像にかかわる情報を前記カレンダ表示日付に関連付けて保存メモリに登録させるプログラムステップと、
前記設定したカレンダ表示日付を含むカレンダを表示させるプログラムステップと、
カレンダ表示の際、前記カレンダの日付のうちの前記カレンダ表示日付と同じ日付に対応付けて前記受信した画像にかかわる情報を表示させるプログラムステップと、
を備えたことを特徴とするプログラム。
【請求項１９】
被写体を撮影し、撮影画像を保存メモリに記録する撮像装置において実行可能なプログラムであって、
被写体像を撮影して撮影画像を保存メモリに記録する際、この撮影画像をスケジュールと対応付けて表示するスケジュール表示日付を設定させるプログラムステップと、
前記撮影画像にかかわる情報を保存メモリに記録させるプログラムステップと、
前記記録した撮影画像及び該撮影画像にかかわる情報を前記スケジュール表示日付に関連付けて保存メモリに登録させるプログラムステップと、
絡んだ表示の際、設定されたスケジュール表示日付を含むカレンダを表示させるプログラムステップと、
前記表示したカレンダの日付のうちの前記スケジュール表示日付と同じ日付に対応付けて前記受信した画像にかかわる情報を表示させるプログラムステップと、
を備えたことを特徴とするプログラム。
【請求項２０】
メモリに記録されている画像を再生し、再生された画像を表示する画像表示装置において、
所定の期間の日付を一覧表示してなるカレンダを表示するカレンダ表示手段と、
前記カレンダに表示されている日付と同じ撮影日の画像のうちの所定の画像をメモリから取り出して縮小画像を作成するインデックス画像作成手段と、
前記インデックス画像作成手段によって作成されたインデックス画像をそれぞれ前記撮影日と同じカレンダの日付に対応付けて表示するインデックス画像表示手段と、
前記日付に対応付けられたインデックス画像を選択する画像選択手段と、
前記画像選択手段によって選択されたインデックス画像と同一撮影日の画像グループの画像をメモリから取り出してそれぞれの縮小画像を順次作成する縮小画像作成手段と、
前記縮小画像作成手段によって作成された縮小画像をそれぞれ前記インデックス画像の撮影日と同じカレンダの日付に対応付けて連続表示する縮小画像連続表示手段と、
拡大表示指示手段と、
前記拡大表示指示手段による指示があると、前記連続表示されている縮小画像を該縮小画像より相対的に大きく拡大して前記インデックス画像の撮影日と同じカレンダの日付に関連付けて表示する前記拡大表示手段と、
を備えたことを特徴とする画像表示装置。
【請求項２１】
メモリに記録されている画像を再生し、再生された画像を表示する画像表示装置において、
所定の期間の日付を一覧表示してなるカレンダを表示するカレンダ表示手段と、
前記カレンダに表示されている日付と同じ撮影日の画像のうちの所定の画像をメモリから取り出して縮小画像を作成するインデックス画像作成手段と、
前記インデックス画像作成手段によって作成されたインデックス画像をそれぞれ前記撮影日と同じカレンダの日付に対応付けて表示するインデックス画像表示手段と、
前記日付に対応付けられたインデックス画像を選択する画像選択手段と、
前記画像選択手段によって選択されたインデックス画像と同一撮影日の画像グループの画像をメモリから取り出してそれぞれの縮小画像を順次作成する縮小画像作成手段と、
前記縮小画像作成手段によって作成された縮小画像をそれぞれ前記インデックス画像の撮影日と同じカレンダの日付に対応付けて連続表示する縮小画像連続表示手段と、
前記画像選択手段によって選択された画像と同じ日に撮影された画像グループが相対的に高解像度の静止画を含む場合には、前記複数の画像の縮小画像と高解像度の静止画の縮小画像を前記選択された画像と同じ位置に循環的に表示する縮小画像循環表示手段と、
を備えたことを特徴とする画像表示装置。
【請求項２２】
更に、音響を入力し音響データに変換しメモリに記録する音響入力手段と、
前記画像グループに対応付けられている音響データがある場合にはその音響データを前記動画表示に連動させて再生し外部に出力する音響再生手段と、を備えたことを特徴とする請求項２０又は２１に記載の画像表示装置。
【請求項２３】
被写体を撮影してその画像データを生成する撮像手段と、生成した画像を記録するメモリと、前記メモリに記録されている画像を再生して表示する画像再生モードを備えた撮像装置において、
画像再生モード時に、
前記インデックス画像作成手段によって作成されたインデックス画像をそれぞれ前記撮影日と同じカレンダの日付に対応付けて表示するインデックス画像表示手段と、
前記日付に対応付けられたインデックス画像を選択する画像選択手段と、
前記画像選択手段によって選択されたインデックス画像と同一撮影日の画像グループの画像をメモリから取り出してそれぞれの縮小画像を順次作成する縮小画像作成手段と、
前記縮小画像作成手段によって作成された縮小画像をそれぞれ前記インデックス画像の撮影日と同じカレンダの日付に対応付けて連続表示する縮小画像連続表示手段と、
拡大表示指示手段と
前記拡大表示指示手段による指示があると、前記連続表示されている縮小画像を該縮小画像より相対的に大きく拡大して前記インデックス画像の撮影日と同じカレンダの日付に関連付けて表示する拡大表示手段と、
を備えたことを特徴とする撮像装置。
【請求項２４】
被写体を撮影してその画像データを生成する撮像手段と、生成した画像を記録するメモリと、前記メモリに記録されている画像を再生して表示する画像再生モードを備えた撮像装置において、
画像再生モード時に、
前記インデックス画像作成手段によって作成されたインデックス画像をそれぞれ前記撮影日と同じカレンダの日付に対応付けて表示するインデックス画像表示手段と、
前記日付に対応付けられたインデックス画像を選択する画像選択手段と、
前記画像選択手段によって選択されたインデックス画像と同一撮影日の画像グループの画像をメモリから取り出してそれぞれの縮小画像を順次作成する縮小画像作成手段と、
前記縮小画像作成手段によって作成された縮小画像をそれぞれ前記インデックス画像の撮影日と同じカレンダの日付に対応付けて連続表示する縮小画像連続表示手段と、
前記画像選択手段によって選択された画像と同じ日に撮影された画像グループが相対的に高解像度の静止画を含む場合には、前記複数の画像の縮小画像と高解像度の静止画の縮小画像を前記選択された画像と同じ位置に循環的に連続表示する縮小画像循環表示手段と、
を備えたことを特徴とする撮像装置。
【請求項２５】
被写体を撮影してその画像データを生成する撮像手段と、生成した画像を記録するメモリと、前記メモリに記録されている画像を再生して表示する画像再生モードを備えた撮像装置において、
音響を入力し音響データに変換しメモリに記録する音響入力手段と、
画像再生モード時に、
所定の期間の日付を一覧表示してなるカレンダを表示するカレンダ表示手段と、
前記カレンダに表示されている日付と同じ撮影日の画像のうちの所定の画像をメモリから取り出して縮小画像を作成するインデックス画像作成手段と、
前記インデックス画像作成手段によって作成されたインデックス画像をそれぞれ前記撮影日と同じカレンダの日付に対応付けて表示するインデックス画像表示手段と、
前記日付に対応付けられたインデックス画像を選択する画像選択手段と、
前記画像選択手段によって選択されたインデックス画像と同一撮影日の画像グループの画像をメモリから取り出してそれぞれの縮小画像を順次作成する縮小画像作成手段と、
前記縮小画像作成手段によって作成された縮小画像をそれぞれ前記選択されたインデックス画像の撮影日と同じカレンダの日付に対応付けて連続表示する縮小画像連続表示手段と、
前記画像グループに対応付けられている音響データがある場合にはその音響データを前記動画表示に連動させて再生し外部に出力する音響再生手段と、を備えたことを特徴とする撮像装置。
【請求項２６】
メモリに記録されている画像を再生する画像再生手段と、再生された画像を表示する表示手段を備えた画像表示装置のカレンダ表示方法であって、
所定期間の日付を一覧表示してなるカレンダを表示し、前記カレンダに表示されている日付と同じ撮影日の画像をメモリから取り出して縮小画像を作成し、作成された縮小画像をそれぞれ前記撮影日と同じカレンダの日付に対応付けて表示し、前記カレンダの日付に対応付けられて表示されている縮小画像が選択されたとき、前記選択された縮小画像と同一撮影日の画像グループの画像をメモリから取り出してそれぞれの縮小画像を順次作成し、前記撮影日と同じカレンダの日付に対応付けて連続表示し、拡大表示指示があると、前記選択された縮小画像と同一撮影日の画像グループを前記撮影日と同じカレンダの日付に対応付けて拡大表示する、
ことを特徴とするカレンダ表示方法。
【請求項２７】
メモリに記録されている画像を再生する画像再生手段と、再生された画像を表示する表示手段を備えた画像表示装置のカレンダ表示方法であって、
所定期間の日付を一覧表示してなるカレンダを表示し、前記カレンダに表示されている日付と同じ撮影日の画像をメモリから取り出して縮小画像を作成し、作成された縮小画像をそれぞれ前記撮影日と同じカレンダの日付に対応付けて表示し、前記カレンダの日付に対応付けられて表示されている縮小画像が選択されたとき、前記選択された縮小画像と同一撮影日の画像グループの画像をメモリから取り出してそれぞれの縮小画像を順次作成し、前記撮影日と同じカレンダの日付に対応付けて連続表示し、前記選択された縮小画像と同一撮影日の画像グループが相対的に高解像度の静止画を含んでいるときは、前記画像グループに属する画像を選択された縮小画像と同一撮影日と同じカレンダの日付に対応付けて循環的に連続表示する、
ことを特徴とするカレンダ表示方法。
【請求項２８】
メモリに記録されている画像を再生する画像再生手段と、再生された画像を表示する表示手段を備えた画像表示装置のカレンダ表示方法であって、
所定期間の日付を一覧表示してなるカレンダを表示し、前記カレンダに表示されている日付と同じ撮影日の画像をメモリから取り出して縮小画像を作成し、作成された縮小画像をそれぞれ前記撮影日と同じカレンダの日付に対応付けて表示し、前記カレンダの日付に対応付けられて表示されている縮小画像が選択されたとき、前記選択された縮小画像と同一撮影日の画像グループの画像をメモリから取り出してそれぞれの縮小画像を順次作成し、前記撮影日と同じカレンダの日付に対応付けて連続表示し、前記画像グループに関連付けられている音響データがある場合には、その音響データを前記選択された縮小画像と同一撮影日の画像グループの動画表示に連動させて再生出力する、
ことを特徴とするカレンダ表示方法。
【請求項２９】
メモリに記録されている画像を再生する画像再生手段と、再生された画像を表示する表示手段を備えた画像表示装置のカレンダ表示方法であって、
所定期間の日時を一覧表示してなるカレンダを表示し、前記カレンダに表示されている日時と同じ撮影日時の画像をメモリから取り出して縮小画像を作成し、作成された縮小画像をそれぞれ前記撮影日時と同じカレンダの日時に対応付けて表示し、前記カレンダの日時に対応付けられて表示されている縮小画像が選択されたとき、前記選択された縮小画像と同一撮影日時の画像グループの画像をメモリから取り出してそれぞれの縮小画像を順次作成し、前記撮影日時と同じカレンダの日時に対応付けて連続表示する、ことを特徴とするカレンダ表示方法。
【請求項３０】
メモリに記録されている画像を再生する画像再生手段と、再生された画像を表示する表示手段と、音響データを再生して外部に出力する音響再生手段と、を備えた画像表示装置において実行可能なプログラムであって、
所定の期間の日付を一覧表示してなるカレンダを表示させるプログラムステップと、前記カレンダに表示されている日付と同じ撮影日の画像のうちの所定の画像をメモリから取り出して縮小画像を作成させるプログラムステップと、前記インデックス画像作成手段によって作成されたインデックス画像をそれぞれ前記撮影日と同じカレンダの日付に対応付けて表示させるプログラムステップと、前記日付に対応付けられたインデックス画像を選択させるプログラムステップと、前記画像選択手段によって選択されたインデックス画像と同一撮影日の画像グループの画像をメモリから取り出させてそれぞれの縮小画像を順次作成させるプログラムステップと、前記作成された縮小画像をそれぞれ前記インデックス画像の撮影日と同じカレンダの日付に対応付けて連続表示させるプログラムステップと、前記画像グループに対応付けられている音響データがある場合にはその音響データを前記動画表示に連動させて再生させて外部に出力させるプログラムステップと、を備えたことを特徴とするプログラム。
【請求項３１】
被写体を撮影してその画像データを生成する撮像手段と、生成した画像を記録するメモリと、音響を入力し音響データに変換しメモリに記録する音響入力手段と、前記画像グループに対応付けられてメモリに記録されている音響データがある場合にはその音響データを前記動画表示に連動させて再生し外部に出力する音響再生手段と、前記メモリに記録されている画像を再生して表示する画像再生モードを、備えた撮像装置において、画像再生モード時に実行可能なプログラムであって、
所定の期間の日付を一覧表示してなるカレンダを表示させるプログラムステップと、前記カレンダに表示されている日付と同じ撮影日の画像のうちの所定の画像をメモリから取り出して縮小画像を作成させるプログラムステップと、前記インデックス画像作成手段によって作成されたインデックス画像をそれぞれ前記撮影日と同じカレンダの日付に対応付けて表示させるプログラムステップと、前記日付に対応付けられたインデックス画像を選択させるプログラムステップと、前記画像選択手段によって選択されたインデックス画像と同一撮影日の画像グループの画像をメモリから取り出させてそれぞれの縮小画像を順次作成させるプログラムステップと、前記作成された縮小画像をそれぞれ前記インデックス画像の撮影日と同じカレンダの日付に対応付けて連続表示させるプログラムステップと、前記画像グループに対応付けられている音響データがある場合にはその音響データを前記動画表示に連動させて再生し外部に出力させるプログラムステップと、を備えたことを特徴とするプログラム。
【発明の詳細な説明】
【技術分野】
【０００１】
本発明は、カレンダを表示可能な画像表示装置や撮像装置においてスケジュールと連動させてカレンダ上に動画や静止画像を表示する、画像表示技術に関する。
【背景技術】
【０００２】
電子カメラにおいて、撮影した画像を撮影日時と関連して記憶することは周知であるが、撮影した多数の画像を整理・検索しやすくするために、モニタ上に例えば１ヶ月のカレンダを表示し、そのカレンダ画面上の各日付欄に、その日に撮影した画像を縮小表示する技術がある（例えば、特許文献１参照）。
【０００３】
また、同日に撮影した画像が多数ある場合には、代表画像を表示したり、スライドショー的に切り替え表示する技術がある（特願２００３−５１２７６号）。
【０００４】
しかしながら、上記特許文献１に記載の技術では、カレンダ画面上に日付と関連づけて撮影画像を表示するものであり、画面上に時刻と関連づけて画像を一覧表示したいという課題があった。また、上記特願２００３−５１２７６号に記載の技術は、同日に多数の撮影画像があるときに、その一覧性を増すための工夫が必要であるとの課題があった。
【０００５】
上記課題を解決するものとして、時計と撮影画像を連動させて表示することによって撮影時間帯を分かりやすくし、画像を検索しやすくした時計と画像の連動表示技術と、カレンダの日付に撮影された画像を表示することによって、同一期間内に多数の撮影画像があるときの一覧性を良くし、画像を検索しやすくするカレンダと画像の連動表示技術が提案されている（特願２００３−３６４９６６号））。
【特許文献１】特開平１１−２１５４５７号公報
【発明の開示】
【発明が解決しようとする課題】
【０００６】
しかしながら、上記特願２００３−３６４９６６号に記載の技術では、パソコン等の外部装置から転送された画像を指定された日付にカレンダ表示し、日付が到来した画像を表示したり、撮影画像を指定された日付にカレンダ表示することができないといった課題、例えば、スケジュール表示（受信した画像や撮影画像を元にした縮小画像等をスケジュールに連動させてカレンダの日付に対応付けて表示すること）ができないといった課題、があった。また、カレンダの日付と同じ日に撮影された画像がある場合はその画像を日付欄等に表示するが、同じ日に複数の画像が撮影された場合はその代表画像を表示しているので、画像が動画の場合も相対的に小さな代表画像（例えば、一番最初の動画像、或いは一番最後の動画像）を日付欄或いはその近傍に表示するものであり動画そのものを表示するわけではないので、ユーザが代表画像が動画の代表画像か複数枚撮影された静止画の代表画像かを判断するためには別途表示されるマーク等をみて判断するしかないといった課題があった。
【０００７】
本発明は、上記課題を解決するためになされたものであり、転送された画像や撮影画像をカレンダ上にスケジュールと連動させて表示し得る、画像表示装置、撮像装置、カレンダ表示方法、及びプログラムの提供を目的とする。
【課題を解決するための手段】
【０００８】
上記課題を解決するために、請求項１に記載の発明では、メモリに記録されている画像を再生し、再生された画像を表示する画像表示装置において、外部装置から送信されるカレンダ表示日付及び画像を受信する受信手段と、この受信手段により受信した画像をカレンダ表示日付に対応付けて表示可能に加工してカレンダ表示用画像を得る画像加工手段と、受信した画像及びカレンダ表示用画像を保存メモリに記録する記録手段と、記録した画像及びカレンダ表示用画像をカレンダ表示日付に関連付けた情報を保存メモリに登録するカレンダ表示用情報登録手段と、カレンダ表示日付を含むカレンダを表示するカレンダ表示手段と、カレンダの日付のうちカレンダ表示日付に対応付けてカレンダ表示用画像を表示するカレンダ表示画像表示手段と、を備えたことを特徴とする画像表示装置を提供する。
これにより、画像表示装置はカレンダ表示モードで表示されるカレンダの日付のうち外部装置側で設定した日付と同じ日付に関連付けてカレンダ表示用画像を表示できるのでカレンダをスケジュール表示用としても利用できる。また、カレンダに表示されている縮小画像等の表示画像を見て転送された画像を容易に探し出すことができる。
【０００９】
また、請求項２に記載の発明では、メモリに記録されている画像を再生し、再生された画像を表示する画像表示装置において、外部装置から送信されるカレンダ表示日付、カレンダ表示用データ、及び画像を受信する受信手段と、この受信手段により受信したカレンダ表示データをカレンダの日付に対応付けて表示可能に加工してカレンダ表示用画像を得る画像加工手段と、受信した画像及びカレンダ表示用画像を保存メモリに記録する記録手段と、記録した画像及びカレンダ表示用画像をカレンダ表示日付に関連付けた情報を保存メモリに登録するカレンダ表示用情報登録手段と、カレンダ表示日付を含むカレンダを表示するカレンダ表示手段と、カレンダの日付のうち受信したカレンダ表示日付に対応付けてカレンダ表示用画像を表示するカレンダ表示画像表示手段と、を備えたことを特徴とする画像表示装置を提供する。
これにより、画像表示装置はカレンダ表示モードで表示されるカレンダの日付のうち外部表示装置側で設定した日付と同じ日付に関連付けてカレンダ表示用データを元にしたカレンダ表示用画像を表示できるので画像に文字等を付加することもでき、カレンダを行楽等のスケジュール表示用としても利用できる。また、カレンダに表示されている縮小画像等の表示画像を見て転送された画像を容易に探し出すことができる。
【００１０】
また、請求項３に記載の発明では、メモリに記録されている画像を再生し、再生された画像を表示する画像表示装置において、外部装置から送信される画像を受信する受信手段と、この受信手段による画像の受信の際に、この画像をカレンダと対応付けて表示するカレンダ表示日付を設定する表示日付手段と、この受信手段により受信した画像をカレンダの日付に対応付けて表示可能に加工してカレンダ表示用画像を得る画像加工手段と、受信した画像及びカレンダ表示用画像を保存メモリに記録する記録手段と、記録した画像及びカレンダ表示用画像をカレンダ表示日付に関連付けた情報を保存メモリに登録するカレンダ表示用情報登録手段と、カレンダ表示日付を含むカレンダを表示するカレンダ表示手段と、カレンダの日付のうちカレンダ表示日付が示す日付に対応付けてカレンダ表示用画像を表示するカレンダ表示画像表示手段と、
を備えたことを特徴とする画像表示装置を提供する。
これにより、画像表示装置はカレンダ表示モードで表示されるカレンダの日付を画像表示装置側で設定し、その日付に関連付けてカレンダ表示用画像を表示できるのでカレンダをスケジュール表示用として利用できる。また、カレンダに表示されている縮小画像等の表示画像を見て転送された画像を容易に探し出すことができる。
【００１１】
また、請求項４に記載の発明では、メモリに記録されている画像を再生し、再生された画像を表示する画像表示装置において、外部装置から送信されるカレンダ表示用データ及び画像を受信する受信手段と、この受信手段による画像の受信の際に、この画像をカレンダと対応付けて表示するカレンダ表示日付を設定する表示日付設定手段と、この受信手段により受信したカレンダ表示データをカレンダの日付に対応付けて表示可能に加工してカレンダ表示用画像を得る画像加工手段と、受信した画像及びカレンダ表示用画像を保存メモリに記録する記録手段と、記録した画像及びカレンダ表示用画像をカレンダ表示日付に関連付けた情報を保存メモリに登録するカレンダ表示用情報登録手段と、カレンダ表示日付を含むカレンダを表示するカレンダ表示手段と、カレンダの日付のうち表示日付に対応付けてカレンダ表示用画像を表示するカレンダ表示画像表示手段と、を備えたことを特徴とする画像表示装置を提供する。
これにより、画像表示装置はカレンダ表示モードで表示されるカレンダの日付を画像表示装置側で設定し、その日付に関連付けて縮小画像等のカレンダ表示画像を表示できるのでカレンダをスケジュール表示用としても利用できる。また、カレンダ表示画像を見て転送された画像を容易に探し出すことができる。
【００１２】
また、請求項５に記載の発明では、受信手段は、更に、外部装置から送信される音響データを受信することを特徴とする請求項１乃至４のいずれか１項に記載の画像表示装置を提供する。
これにより、画像表示装置に表示されているカレンダ表示画像を指定すると転送画像が再生表示されると共に音声や音響も出力されるので、カレンダ用画像の意味がわかりやすくより効果的にスケジュール表示用等として利用できる。
【００１３】
また、請求項６に記載の発明では、受信手段は、更に、外部装置から送信されるテキストデータを受信することを特徴とする請求項１乃至４のいずれか１項に記載の画像表示装置を提供する。
これにより、画像表示装置に表示されるカレンダ表示画像を指定すると転送画像とテキストデータを一緒に再生表示できるのでカレンダ用画像をより効果的にスケジュール表示用等として利用できる。
【００１４】
また、請求項７に記載の発明では、表示日付は日時であることを特徴とする請求項１乃至４のいずれか１項に記載の画像表示装置を提供する。
【００１５】
また、請求項８に記載の発明では、表示日付は曜日であることを特徴とする請求項１乃至４のいずれか１項に記載の画像表示装置を提供する。
【００１６】
また、請求項９に記載の発明では、表示日付は期間からなることを特徴とする請求項１乃至４のいずれか１項に記載の画像表示装置を提供する。
【００１７】
また、請求項１０に記載の発明では、表示日付は、日、曜日、又は期間の繰り返しからなることを特徴とする請求項１乃至４のいずれか１項に記載の画像表示装置を提供する。
【００１８】
また、請求項１１に記載の発明では、被写体を撮影してメモリに記録する撮像装置において、被写体像を撮影して撮影画像を保存メモリに記録する画像撮影手段と、画像撮影手段によって撮影された撮影画像をカレンダと対応付けて表示するためのカレンダ表示日付を設定する表示日付設定手段と、撮影画像をカレンダの日付に対応付けて表示可能に加工してカレンダ表示用画像を得る画像加工手段と、カレンダ表示用画像を保存メモリに記録する記録手段と、記録した撮影画像及びカレンダ表示用画像を表示日付に関連付けた情報を保存メモリに登録するカレンダ表示用情報登録手段と、
カレンダ表示日付を含むカレンダを表示するカレンダ表示手段と、カレンダの日付のうちカレンダ表示日付に対応付けてカレンダ表示用画像を表示するカレンダ表示画像表示手段と、を備えたことを特徴とする撮像装置を提供する。
これにより、撮像装置はカレンダ表示モードで表示されるカレンダの日付のうち設定した日付と同じ日付に関連付けてカレンダ表示用画像を表示できるのでカレンダをスケジュール表示用としても利用できる。また、縮小画像等のカレンダ表示画像を見て記録した撮影画像を容易に探し出すことができる。
【００１９】
また、請求項１２に記載の発明では、更に、音響を入力する音響入力手段を備えたことを特徴とする請求項１１記載の撮像装置を提供する。
これにより、撮像装置に表示されているカレンダ表示画像を指定すると画像が再生表示されると共に音声や音響も出力されるので、カレンダ用画像の意味がわかりやすくより効果的にスケジュール表示用等として利用できる。
【００２０】
また、請求項１３に記載の発明では、更に、テキストデータを入力するテキストデータ入力手段を備えたことを特徴とする請求項１１記載の撮像装置を提供する。
これにより、撮像装置に表示されるカレンダ表示画像を指定すると画像とテキストデータを一緒に再生表示できるのでカレンダ用画像をより効果的にスケジュール表示用等として利用できる。
【００２１】
また、請求項１４に記載の発明では、外部装置から送信される画像のカレンダ表示方法であって、外部装置から送信されるカレンダ表示日付及び画像を受信したとき、受信した画像及び該画像にかかわる情報を保存メモリに記録すると共に記録した画像及び該画像にかかわる情報を受信したカレンダ表示日付に関連付けた情報を保存メモリに登録し、カレンダ表示の際、カレンダ表示日付を含むカレンダを表示し、該カレンダの日付のうちカレンダ表示日付と同じ日付に対応付けて画像にかかわる情報を表示する、ことを特徴とするカレンダ表示方法を提供する。
これにより、画像表示装置はカレンダ表示モードで表示されるカレンダの日付のうち外部装置側で設定した日付と同じ日付に関連付けてカレンダ表示用画像を表示できるのでカレンダをスケジュール表示用としても利用できる。また、カレンダ上に表示される縮小画像等の表示画像を見て転送された画像を容易に探し出すことができる。
【００２２】
また、請求項１５に記載の発明では、外部装置から送信される画像のカレンダ表示方法であって、外部装置から送信される画像を受信したとき、この画像をカレンダと対応付けて表示するカレンダ表示日付を設定し、受信した画像及び画像にかかわる情報を保存メモリに記録すると共に記録した画像及び該画像にかかわる情報をカレンダ表示日付に関連付けた情報を保存メモリに登録し、カレンダ表示の際、カレンダ表示日付を含むカレンダを表示し、該カレンダの日付のうちカレンダ表示日付と同じ日付に対応付けて受信した画像にかかわる情報を表示する、ことを特徴とするカレンダ表示方法を提供する。
これにより、画像表示装置はカレンダ表示モードで表示されるカレンダの日付のうち画像表示装置側で設定した日付と同じ日付に関連付けてカレンダ表示用画像を表示できるのでカレンダをスケジュール表示用としても利用できる。また、カレンダ上に表示される縮小画像等の表示画像を見て転送された画像を容易に探し出すことができる。
【００２３】
また、請求項１６に記載の発明では、撮影画像のカレンダ表示方法であって、被写体像を撮影して撮影画像を保存メモリに記録する際、この撮影画像をスケジュール表示するためのスケジュール表示日付を設定し、撮影画像にかかわる情報を保存メモリに記録すると共に記録した撮影画像及び該撮影画像にかかわる情報をスケジュール表示日付に関連付けた情報を保存メモリに登録し、カレンダ表示の際、スケジュール表示日付を含むカレンダを表示し、該カレンダの日付のうちスケジュール表示日付と同じ日付に対応付けて撮影画像にかかわる情報を表示する、ことを特徴とするカレンダ表示方法を提供する。
これにより、撮像装置はカレンダ表示モードで表示されるカレンダの日付のうち設定した日付と同じ日付に関連付けてカレンダ表示用画像を表示できるのでカレンダをスケジュール表示用としても利用できる。また、カレンダ上に表示される縮小画像等の表示画像を見て記録した撮影画像を容易に探し出すことができる。
【００２４】
また、請求項１７に記載の発明では、外部装置から送信される画像をカレンダ表示する画像表示装置において実行可能なプログラムであって、外部装置から送信されるカレンダ表示日付及び画像を受信させるプログラムステップと、受信した画像及び画像にかかわる情報を保存メモリに記録させるプログラムステップと、記録した画像及び該画像にかかわる情報をカレンダ表示日付に関連付た情報を保存メモリに登録させるプログラムステップと、カレンダ表示の際、カレンダ表示日付を含むカレンダを表示させるプログラムステップと、カレンダ表示日付を含むカレンダの日付のうちのカレンダ表示日付と同じ日付に対応付けて受信した画像にかかわる情報を表示させるプログラムステップと、を備えたことを特徴とするプログラムを提供する。
これにより、画像表示装置はカレンダ表示モードで表示されるカレンダの日付のうち外部装置側で設定した日付と同じ日付に関連付けてカレンダ表示用画像を表示できる。
【００２５】
また、請求項１８に記載の発明では、外部装置から送信される画像をカレンダ表示する画像表示装置において実行可能なプログラムであって、外部装置から送信される画像を受信させるプログラムステップと、外部装置から送信される画像を受信したとき、この画像をカレンダと対応付けて表示するカレンダ表示日付を設定させるプログラムステップと、受信した画像及び画像にかかわる情報を保存メモリに記録させるプログラムステップと、記録した画像及び該画像にかかわる情報をカレンダ表示日付に関連付けて保存メモリに登録させるプログラムステップと、設定したカレンダ表示日付を含むカレンダを表示させるプログラムステップと、カレンダ表示の際、カレンダの日付のうちのカレンダ表示日付と同じ日付に対応付けて受信した画像にかかわる情報を表示させるプログラムステップと、を備えたことを特徴とするプログラムを提供する。
これにより、画像表示装置はカレンダ表示モードで表示されるカレンダの日付のうち画像表示装置側で設定した日付と同じ日付に関連付けてカレンダ表示用画像を表示できる。
【００２６】
また、請求項１９に記載の発明では、被写体を撮影し、撮影画像を保存メモリに記録する撮像装置において実行可能なプログラムであって、被写体像を撮影して撮影画像を保存メモリに記録する際、この撮影画像をスケジュールと対応付けて表示するスケジュール表示日付を設定させるプログラムステップと、撮影画像にかかわる情報を保存メモリに記録させるプログラムステップと、記録した撮影画像及び該撮影画像にかかわる情報をスケジュール表示日付に関連付けて保存メモリに登録させるプログラムステップと、絡んだ表示の際、設定されたスケジュール表示日付を含むカレンダを表示させるプログラムステップと、表示したカレンダの日付のうちのスケジュール表示日付と同じ日付に対応付けて受信した画像にかかわる情報を表示させるプログラムステップと、を備えたことを特徴とするプログラムを提供する。
これにより、撮像装置はカレンダ表示モードで表示されるカレンダの日付のうち設定した日付と同じ日付に関連付けてカレンダ表示用画像を表示できる。
【００２７】
また、請求項２０に記載の発明では、メモリに記録されている画像を再生し、再生された画像を表示する画像表示装置において、所定の期間の日付を一覧表示してなるカレンダを表示するカレンダ表示手段と、カレンダに表示されている日付と同じ撮影日の画像のうちの所定の画像をメモリから取り出して縮小画像を作成するインデックス画像作成手段と、インデックス画像作成手段によって作成されたインデックス画像をそれぞれ撮影日と同じカレンダの日付に対応付けて表示するインデックス画像表示手段と、日付に対応付けられたインデックス画像を選択する画像選択手段と、画像選択手段によって選択されたインデックス画像と同一撮影日の画像グループの画像をメモリから取り出してそれぞれの縮小画像を順次作成する縮小画像作成手段と、縮小画像作成手段によって作成された縮小画像をそれぞれインデックス画像の撮影日と同じカレンダの日付に対応付けて連続表示する縮小画像連続表示手段と、拡大表示指示手段と、拡大表示指示手段による指示があると、連続表示されている縮小画像を該縮小画像より相対的に大きく拡大してインデックス画像の撮影日と同じカレンダの日付に関連付けて表示する拡大表示手段と、を備えたことを特徴とする画像表示装置を提供する。
これにより、撮影日時に対応するカレンダの日付に対応付けて表示されたインデックス画像を選択（指定）するだけで縮小画像が動画表示されるので、単に代表画像のみをカレンダに表示する場合には不可能であった、動画表示される画像グループ中の重要な場面の有無などを確認できる。また、重要な場面やお気に入りの場面を拡大して見ることができる。
【００２８】
また、請求項２１に記載の発明では、メモリに記録されている画像を再生し、再生された画像を表示する画像表示装置において、所定の期間の日付を一覧表示してなるカレンダを表示するカレンダ表示手段と、カレンダに表示されている日付と同じ撮影日の画像のうちの所定の画像をメモリから取り出して縮小画像を作成するインデックス画像作成手段と、インデックス画像作成手段によって作成されたインデックス画像をそれぞれ撮影日と同じカレンダの日付に対応付けて表示するインデックス画像表示手段と、日付に対応付けられたインデックス画像を選択する画像選択手段と、画像選択手段によって選択されたインデックス画像と同一撮影日の画像グループの画像をメモリから取り出してそれぞれの縮小画像を順次作成する縮小画像作成手段と、縮小画像作成手段によって作成された縮小画像をそれぞれインデックス画像の撮影日と同じカレンダの日付に対応付けて連続表示する縮小画像連続表示手段と、画像選択手段によって選択された画像と同じ日に撮影された画像グループが相対的に高解像度の静止画を含む場合には、複数の画像の縮小画像と高解像度の静止画の縮小画像を選択された画像と同じ位置に循環的に表示する縮小画像循環表示手段と、を備えたことを特徴とする画像表示装置を提供する。
これにより、撮影日時に対応するカレンダの日付に対応付けて表示されたインデックス画像を選択（指定）するだけで縮小画像が動画表示されるので、単に代表画像のみをカレンダに表示する場合には不可能であった、動画表示される画像グループ中の重要な場面の有無などを確認できる。また、同一日に複数の画像（複数の組の動画、動画と静止画、複数の静止画）が撮影され、それらの画像データが記録されている場合には、表示されている縮小画像をカーソル等で選択（指定）するだけでそれらの縮小画像が循環的に連続表示（いわゆる、「スライドショー表示」以下同じ）されるので、撮影時の情景等を撮影日と関連付けて連想したり、カレンダ上で手早く確認できる。
【００２９】
また、請求項２２に記載の発明では、更に、音響を入力し音響データに変換しメモリに記録する音響入力手段と、画像グループに対応付けられてメモリに記録されている音響データがある場合にはその音響データを動画表示に連動させて再生し外部に出力する音響再生手段と、を備えたことを特徴とする請求項２０又は２１に記載の画像表示装置を提供する。
これにより、撮影日時に対応するカレンダの日付に対応付けられて表示されるインデックス画像を選択すると選択された画像を連続表示すると共に音響出力するので、画像を見ながらその撮影の状況等を思い出すことができる。
【００３０】
また、請求項２３に記載の発明では、被写体を撮影してその画像データを生成する撮像手段と、生成した画像を記録するメモリと、メモリに記録されている画像を再生して表示する画像再生モードを備えた撮像装置において、画像再生モード時に、インデックス画像作成手段によって作成されたインデックス画像をそれぞれ撮影日と同じカレンダの日付に対応付けて表示するインデックス画像表示手段と、日付に対応付けられたインデックス画像を選択する画像選択手段と、画像選択手段によって選択されたインデックス画像と同一撮影日の画像グループの画像をメモリから取り出してそれぞれの縮小画像を順次作成する縮小画像作成手段と、縮小画像作成手段によって作成された縮小画像をそれぞれインデックス画像の撮影日と同じカレンダの日付に対応付けて連続表示する縮小画像連続表示手段と、拡大表示指示手段と、拡大表示指示手段による指示があると、連続表示されている縮小画像を該縮小画像より相対的に大きく拡大してインデックス画像の撮影日と同じカレンダの日付に関連付けて表示する拡大表示手段と、を備えたことを特徴とする撮像装置を提供する。
これにより、撮像装置は再生モード時に、撮影日時に対応するカレンダの日付に対応付けて表示されたインデックス画像を選択（指定）するだけで縮小画像が動画表示されるので、撮影時の情景等を撮影日と関連付けて思い出すことができる。また、単に代表画像のみをカレンダに表示する場合には不可能であった、動画表示される画像グループ中の重要な場面の有無などを確認できる。また、重要な場面やお気に入りの場面を拡大して見ることができる。
【００３１】
また、請求項２４に記載の発明では、被写体を撮影してその画像データを生成する撮像手段と、生成した画像を記録するメモリと、メモリに記録されている画像を再生して表示する画像再生モードを備えた撮像装置において、画像再生モード時に、インデックス画像作成手段によって作成されたインデックス画像をそれぞれ撮影日と同じカレンダの日付に対応付けて表示するインデックス画像表示手段と、日付に対応付けられたインデックス画像を選択する画像選択手段と、画像選択手段によって選択されたインデックス画像と同一撮影日の画像グループの画像をメモリから取り出してそれぞれの縮小画像を順次作成する縮小画像作成手段と、縮小画像作成手段によって作成された縮小画像をそれぞれインデックス画像の撮影日と同じカレンダの日付に対応付けて連続表示する縮小画像連続表示手段と、画像選択手段によって選択された画像と同じ日に撮影された画像グループが相対的に高解像度の静止画を含む場合には、複数の画像の縮小画像と高解像度の静止画の縮小画像を選択された画像と同じ位置に循環的に連続表示する縮小画像循環表示手段と、を備えたことを特徴とする撮像装を提供する。
これにより、撮像装置は再生モード時に、撮影日時に対応するカレンダの日付に対応付けて表示されたインデックス画像を選択（指定）するだけで縮小画像が動画表示されるので、撮影時の情景等を撮影日と関連付けて思い出すことができる。また、単に代表画像のみをカレンダに表示する場合には不可能であった、動画表示される画像グループ中の重要な場面の有無などを確認できる。また、同一日に複数の画像が撮影され、それらの画像データが記録されている場合には、表示されている縮小画像をカーソル等で選択（指定）するだけでそれらの縮小画像がいわゆるスライドショー表示されるので、撮影時の情景等を撮影日と関連付けて連想したり、撮影した画像をカレンダ上で手早く確認できる。
【００３２】
また、請求項２５に記載の発明では、被写体を撮影してその画像データを生成する撮像手段と、生成した画像を記録するメモリと、メモリに記録されている画像を再生して表示する画像再生モードを備えた撮像装置において、音響を入力し音響データに変換しメモリに記録する音響入力手段と、画像再生モード時に、所定の期間の日付を一覧表示してなるカレンダを表示するカレンダ表示手段と、カレンダに表示されている日付と同じ撮影日の画像のうちの所定の画像をメモリから取り出して縮小画像を作成するインデックス画像作成手段と、インデックス画像作成手段によって作成されたインデックス画像をそれぞれ撮影日と同じカレンダの日付に対応付けて表示するインデックス画像表示手段と、日付に対応付けられたインデックス画像を選択する画像選択手段と、画像選択手段によって選択されたインデックス画像と同一撮影日の画像グループの画像をメモリから取り出してそれぞれの縮小画像を順次作成する縮小画像作成手段と、縮小画像作成手段によって作成された縮小画像をそれぞれ選択されたインデックス画像の撮影日と同じカレンダの日付に対応付けて連続表示する縮小画像連続表示手段と、画像グループに対応付けられている音響データがある場合にはその音響データを動画表示に連動させて再生し外部に出力する音響再生手段と、を備えたことを特徴とする撮像装置を提供する。
これにより、撮像装置は再生モード時に、撮影日時に対応するカレンダの日付に対応付けられて表示されるインデックス画像を選択すると同一撮影日に撮影された画像の縮小画像をカレンダに動画表示すると共に音響出力するので、画像を見ながらその撮影の状況等を思い出すことができる。また、撮影時に地名や由来、同行者、撮影理由等を音声入力しておけば、カレンダ上で日付上のインデックス画像を選択した際、撮影時の地名や由来、同行者、撮影理由等を思い出すこともできる。また、撮影条件等を音声入力しておけば、カレンダ上で撮影条件を確認することもできる。
【００３３】
また、請求項２６に記載の発明では、メモリに記録されている画像を再生する画像再生手段と、再生された画像を表示する表示手段を備えた画像表示装置のカレンダ表示方法であって、所定期間の日付を一覧表示してなるカレンダを表示し、カレンダに表示されている日付と同じ撮影日の画像をメモリから取り出して縮小画像を作成し、作成された縮小画像をそれぞれ撮影日と同じカレンダの日付に対応付けて表示し、カレンダの日付に対応付けられて表示されている縮小画像が選択されたとき、選択された縮小画像と同一撮影日の画像グループの画像をメモリから取り出してそれぞれの縮小画像を順次作成し、撮影日と同じカレンダの日付に対応付けて連続表示し、拡大表示指示があると、選択された縮小画像と同一撮影日の画像グループを撮影日と同じカレンダの日付に対応付けて拡大表示する、ことを特徴とするカレンダ表示方法を提供する。
これにより、カレンダの日付欄或いはその近傍に表示された縮小画像が選択されると、選択された縮小画像が動画撮影された画像の縮小画像の場合は、動画表示するので、動画であることを意味するマーク等を表示しなくても動画であることを確認することができる。また、単に代表画像のみをカレンダに表示する場合には不可能であった、動画表示される画像グループ中の重要な場面の有無などを確認できる。また、重要な場面やお気に入りの場面を拡大して見ることができる。
【００３４】
また、請求項２７に記載の発明では、メモリに記録されている画像を再生する画像再生手段と、再生された画像を表示する表示手段を備えた画像表示装置のカレンダ表示方法であって、所定期間の日付を一覧表示してなるカレンダを表示し、カレンダに表示されている日付と同じ撮影日の画像をメモリから取り出して縮小画像を作成し、作成された縮小画像をそれぞれ撮影日と同じカレンダの日付に対応付けて表示し、カレンダの日付に対応付けられて表示されている縮小画像が選択されたとき、選択された縮小画像と同一撮影日の画像グループの画像をメモリから取り出してそれぞれの縮小画像を順次作成し、撮影日と同じカレンダの日付に対応付けて連続表示し、選択された縮小画像と同一撮影日の画像グループが相対的に高解像度の静止画を含んでいるときは、画像グループに属する画像を選択された縮小画像と同一撮影日と同じカレンダの日付に対応付けて循環的に連続表示する、ことを特徴とするカレンダ表示方法を提供する。
これにより、カレンダの日付欄或いはその近傍に表示された縮小画像が選択されると、選択された縮小画像が動画撮影された画像の縮小画像の場合は、動画表示するので、動画であることを意味するマーク等を表示しなくても動画であることを確認することができる。また、単に代表画像のみをカレンダに表示する場合には不可能であった、動画表示される画像グループ中の重要な場面の有無などを確認できる。また、同一日に複数の画像が撮影され、それらの画像データが記録されている場合には、表示されている縮小画像をカーソル等で選択（指定）するだけでそれらの縮小画像がいわゆるスライドショー表示されるので、撮影時の情景等を撮影日と関連付けて連想したり、撮影した画像をカレンダ上で手早く確認できる。
【００３５】
また、請求項２８に記載の発明では、メモリに記録されている画像を再生する画像再生手段と、再生された画像を表示する表示手段を備えた画像表示装置のカレンダ表示方法であって、所定期間の日付を一覧表示してなるカレンダを表示し、カレンダに表示されている日付と同じ撮影日の画像をメモリから取り出して縮小画像を作成し、作成された縮小画像をそれぞれ撮影日と同じカレンダの日付に対応付けて表示し、カレンダの日付に対応付けられて表示されている縮小画像が選択されたとき、選択された縮小画像と同一撮影日の画像グループの画像をメモリから取り出してそれぞれの縮小画像を順次作成し、撮影日と同じカレンダの日付に対応付けて連続表示し、画像グループに関連付けられている音響データがある場合には、その音響データを選択された縮小画像と同一撮影日の画像グループの動画表示に連動させて再生出力する、ことを特徴とするカレンダ表示方法を提供する。
これにより、カレンダの日付欄或いはその近傍に表示された縮小画像が選択されると、選択された縮小画像が動画撮影された画像の縮小画像の場合は、動画表示するので、動画であることを意味するマーク等を表示しなくても動画であることを確認することができる。また、単に代表画像のみをカレンダに表示する場合には不可能であった、動画表示される画像グループ中の重要な場面の有無などを確認できる。撮影日時に対応するカレンダの日付に対応付けられて表示される縮小画像を選択すると同一撮影日に撮影された画像の縮小画像をカレンダに動画表示すると共に音響出力するので、画像を見ながらその撮影の状況等を思い出すことができる。
【００３６】
また、請求項２９に記載の発明では、メモリに記録されている画像を再生する画像再生手段と、再生された画像を表示する表示手段を備えた画像表示装置のカレンダ上での画像表示方法であって、所定期間の日時を一覧表示してなるカレンダを表示し、カレンダに表示されている日時と同じ撮影日時の画像をメモリから取り出して縮小画像を作成し、作成された縮小画像をそれぞれ撮影日時と同じカレンダの日時に対応付けて表示し、カレンダの日時に対応付けられて表示されている縮小画像が選択されたとき、選択された縮小画像と同一撮影日時の画像グループの画像をメモリから取り出してそれぞれの縮小画像を順次作成し、撮影日時と同じカレンダの日時に対応付けて連続表示する、ことを特徴とするカレンダ表示方法を提供する。
これにより、月単位の日付カレンダだけでなく、日付と時間から構成されるカレンダ、例えば週間カレンダ×時間単位のカレンダの日時に対応付けて縮小画像を表示し、カレンダの日時欄或いはその近傍に表示された縮小画像が選択されると、選択された縮小画像が動画撮影された画像の縮小画像の場合は、動画表示することができる。
【００３７】
また、請求項３０に記載の発明では、メモリに記録されている画像を再生する画像再生手段と、再生された画像を表示する表示手段と、音響データを再生して外部に出力する音響再生手段と、を備えた画像表示装置において実行可能なプログラムであって、所定の期間の日付を一覧表示してなるカレンダを表示させるプログラムステップと、カレンダに表示されている日付と同じ撮影日の画像のうちの所定の画像をメモリから取り出して縮小画像を作成させるプログラムステップと、インデックス画像作成手段によって作成されたインデックス画像をそれぞれ撮影日と同じカレンダの日付に対応付けて表示させるプログラムステップと、日付に対応付けられたインデックス画像を選択させるプログラムステップと、画像選択手段によって選択されたインデックス画像と同一撮影日の画像グループの画像をメモリから取り出させてそれぞれの縮小画像を順次作成させるプログラムステップと、作成された縮小画像をそれぞれインデックス画像の撮影日と同じカレンダの日付に対応付けて連続表示させるプログラムステップと、画像グループに対応付けられている音響データがある場合にはその音響データを動画表示に連動させて再生させて外部に出力させるプログラムステップと、を備えたことを特徴とするプログラムを提供する。
これにより、画像表示装置は、メモリに記録されている画像をカレンダの日付に対応付けてインデックス画像を表示し、選択されたインデックス画像に対応付する画像群を縮小してカレンダ上に動画表示させるとともに、音響データが画像に対応付けられている場合は、表示される縮小画像に連動させて音響を再生出力させることができる。
【００３８】
また、請求項３１に記載の発明では、被写体を撮影してその画像データを生成する撮像手段と、生成した画像を記録するメモリと、音響を入力し音響データに変換しメモリに記録する音響入力手段と、画像グループに対応付けられてメモリに記録されている音響データがある場合にはその音響データを動画表示に連動させて再生し外部に出力する音響再生手段と、メモリに記録されている画像を再生して表示する画像再生モードを、備えた撮像装置において、画像再生モード時に実行可能なプログラムであって、所定の期間の日付を一覧表示してなるカレンダを表示させるプログラムステップと、カレンダに表示されている日付と同じ撮影日の画像のうちの所定の画像をメモリから取り出して縮小画像を作成させるプログラムステップと、インデックス画像作成手段によって作成されたインデックス画像をそれぞれ撮影日と同じカレンダの日付に対応付けて表示させるプログラムステップと、日付に対応付けられたインデックス画像を選択させるプログラムステップと、画像選択手段によって選択されたインデックス画像と同一撮影日の画像グループの画像をメモリから取り出させてそれぞれの縮小画像を順次作成させるプログラムステップと、作成された縮小画像をそれぞれインデックス画像の撮影日と同じカレンダの日付に対応付けて連続表示させるプログラムステップと、画像グループに対応付けられている音響データがある場合にはその音響データを動画表示に連動させて再生し外部に出力させるプログラムステップと、を備えたことを特徴とするプログラムを提供する。
これにより、撮像装置は、メモリに記録されている画像をカレンダの日付に対応付けてインデックス画像を表示し、選択されたインデックス画像に対応付する画像群を縮小してカレンダ上に動画表示させるとともに、音響データが画像に対応付けられている場合は、表示される縮小画像に連動させて音響を再生出力させることができる。
【発明の効果】
【００３９】
本発明によれば、カレンダ上への画像情報の表示日付を指定することにより、外部装置から転送された画像や撮影画像のカレンダ表示を行うことができるのでカレンダをスケジュール表示用に利用できる。また、目的とする転送画像や撮影画像を簡単に探し出すことができる。
【発明を実施するための最良の形態】
【００４０】
（実施形態１）
図１は、本発明の画像表示方法を適用可能な画像表示装置の一実施例の外観を示す図であり、画像表示装置としてデジタルカメラを例としたものである。
デジタルカメラ１００は正面側（図１（ａ））に撮像レンズ１１１、光学ファインダ１１２及び測光センサ１１３を有している。また、デジタルカメラ１００の背面（図１（ｂ））には液晶モニタ画面４１、光学ファインダ１１２、モードの切換えを行なうモードダイアル３１、液晶モニタスイッチ３２、メニューキー３４、カーソルキー３５、動画撮影開始／終了ボタン３８、表示切替え用のＤＩＳＰボタン３９等のスイッチ及びキーが設けられている。また、上面（図１（ｃ））にはズームレバー３３、シャッターキー３６、ストロボ設定キー３７、及び電源スイッチ９１が設けられ、側部にはパーソナルコンピュータ（以下、パソコン）やモデム等の外部装置とＵＳＢケーブルを接続する場合に用いるＵＳＢ端子接続部９５が設けられている。また、図示していないが底面にはクレードルとの接続を行うクレードル接続部が設けられている。また、正面等に赤外線通信やブルートゥース等の近接通信用の光送受口や無線通信用アンテナ、ＧＰＳ受信アンテナを設けるようにしてもよい。
【００４１】
図１（ｄ）はモードダイアル３１の詳細図であり、モードダイアル３１の上面には、符号３１−１〜３１−７、・・・に示すような、ユーザがモードを判別しやすいアイコンや文字が印刷又は形押等により表示されており、ユーザがモードダイアルを廻してモード選択位置３１−０に所望のアイコン等を合わせるとモードが切り替えられる。なお、図示の例では符号３１−１は再生モードを意味し、符号３１−２〜３１−６は撮影モードを意味し、符号３１−２は通常撮影モード、符号３１−３はベストショットモード（シーン選択モード）、符号３１−４はカップリングモード、符号３１−５は夜景モード、符号３１−６はムービー（動画）撮影モードを意味する。また、符号３１−６は受信モード、符号３１−７はカレンダ表示モードを意味する。
ユーザがモードダイアル３１を廻して、カレンダ表示モードにするとデジタルカメラ１００はカレンダの日付欄と同一日付に撮影された画像を動画表示する。
【００４２】
図２は、図１に示したデジタルカメラの内部構成例を示すブロック図である。図２（ａ）で、デジタルカメラ１００は、光学系１１、信号変換部１２、信号処理部１３、ＤＲＡＭ１４、制御部２０、操作部３０、表示部４０、メモリーカード５１等の記録媒体にアクセスし、撮影画像の記録時に画像データ等のデータを書き込み、記録画像の再生時に記録媒体から画像データ等のデータを読み出す記録部５０、ＯＳＤデータ用ＲＯＭ４５、クレードル接続部５５、入出力（Ｉ／Ｏ）インターフェイス５６、及び電源９０を有している。光学系１１、信号変換部１２、信号処理部１３は被写体像を取り込んで画像データを生成する撮像手段に相当する。
【００４３】
また、マイクロフォン４８とスピーカ４９（図１２）からなる音響入出力部４７（破線部分で示す）を備えるようにし、撮影時又は撮影後に音声を入力し、再生画像と共に音声を出力するようにしもよい（実施形態２参照）。
【００４４】
光学系１１は、撮像レンズ１１１、測光センサ１１３、ズーム機構１１４、自動合焦（ＡＦ）機構１１５及び自動絞り機構１１６や自動露出機構（ＡＥ）１１７等を含み、撮像レンズ１１１を介して集光された被写体像の光束を後段の撮像素子（ＣＣＤ）上に結像させる。
【００４５】
信号変換部１２は、ＣＣＤ、ＣＣＤ駆動用タイミング信号生成回路、ＣＣＤ駆動用垂直ドライバ、自動利得制御回路およびＡ／Ｄ変換器（図示せず）を含み、前段の光学系１１を介してＣＣＤに結像した画像を電気信号に変換し、デジタルデータ（以下、画像データ）に変換して一定の周期で出力する。
【００４６】
信号処理部１３は、静止画撮影モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、ＤＲＡＭ１４の静止画バッファ領域に記憶する。また、スルー画像を表示するために、ＤＲＡＭ１４に取込んだ画像データを間引いて表示部４０に送る。シャッターキー３６が全押しされるとその時点の画像データを表示部４０に送って静止画を表示させる。
また、動画撮影モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）を所定の動画ファイルサイズ（例えば、約２００ＫＢ／秒）に変換させて動画像データとしてＤＲＡＭ１４に転送し、ＤＲＡＭ１４の動画像バッファ領域に順次記憶する。
【００４７】
また、信号処理部１３は、撮影画像の記録時にＤＲＡＭ１４に書き込まれている画像データを読み出して、圧縮処理を施し、記録画像の再生時にメモリーカード５１等の記録媒体に記録されている圧縮画像データに伸張処理を施して画像データを再生する圧縮伸張部を備えている。なお、圧縮画像データを高速で伸張する高速伸張部を備えるように構成してもよい。画像データの圧縮／伸張方式としては、例えば、ＪＰＥＧ圧縮方式によるが、これに限定されない。
【００４８】
ＤＲＡＭ１４は作業用メモリとして用いられ、撮像された静止画像を一時的に記憶する画像バッファ領域や所定時間分の画像を一時的に記憶する動画像バッファ領域や画像の圧縮／伸張時や画像合成時の作業用領域等が確保されている。実施例では、静止画像データをＤＲＡＭ１４の静止画バッファ領域に記憶し、動画像データを動画像バッファ領域に記憶するようにしたが、静止画像データと動画像データを記憶するバッファ領域を別々にせず静止画像データと動画像データ共通なバッファ領域に記憶するようにしてもよい。
【００４９】
制御部２０は、図２（ｂ）に示すように、ＣＰＵ２１、ＲＡＭ２２、プログラム格納用ＲＯＭ２３および時計手段としてのタイマー２４等を備えたマイクロプロセッサ構成を有している。
【００５０】
ＣＰＵ２１は、上述の各回路および図示しない電源切換えスイッチ等にバスラインを介して接続し、プログラム格納用ＲＯＭ２３に格納されている制御プログラムによりデジタルカメラ１００全体の制御を行なうと共に、ユーザのキー操作等により操作部３０から送出される信号を受け取ると、受け取った信号が意味する処理に対応する動作プログラムをプログラム格納用ＲＯＭ２３に格納されているプログラム群の中から取り出して、デジタルカメラ１００の各機能の実行制御、例えば、本発明の画像表示方法に基づくカレンダ上での画像表示プログラムやプログラム格納用ＲＯＭ２３内に格納された各動作プログラムの実行による各機能の実現のための実行制御を行なう。また、プログラム格納用ＲＯＭ２３に格納されているカレンダ日付生成プログラムにより指定された曜日に対応するカレンダ上の日付を取得する。
例えば、撮影モードではデジタルカメラ１００の撮影レンズ１１１の視野内の被写体像を取り込んでスルー画像（ファインダ画像）を表示し、シャッターキー３６が半押しされると自動合焦や自動絞り、自動露出等を開始させ、全押しされると静止画撮影を行わせる。また、動画撮影開始ボタン３８が押されると、コンティニアスＡＦによる連続自動合焦や自動絞り、自動露出等を行って動画撮影を開始させる。また、再生モードではメモリーカード５１に記録されている画像（圧縮画像データ）を検索して伸張処理を施して画像（画像データ）を再生し、表示部４０に表示する。
【００５１】
ＲＡＭ２２は内部メモリに相当し、プログラム、データおよび処理結果の一時記憶および中間作業領域等に用いられる。プログラム格納用ＲＯＭ２３は上述の制御プログラムおよびデジタルカメラ１００の各動作及びその他の各機能を実行させるためのプログラム群を記録する記録媒体であり、ＰＲＯＭ、ＦＲＯＭ（フラッシュＲＯＭ）等のメモリが用いられる。
【００５２】
操作部３０は、図１に示したような、モードダイアル３１、液晶モニタスイッチ３２、ズームレバー３３、メニューキー３４、カーソルキー３５、シャッターキー３６、及びストロボ設定キー３７、動画撮影開始／終了ボタン３８、ＤＩＳＰボタン３９等のボタンやスイッチを構成部分としており、これらのキーやボタン或いはスイッチが操作されると状態信号や設定値が制御部２０に送出される。なお、符号３５１はＳＥＴキーを意味する。
【００５３】
表示部４０はビデオエンコーダ、ＶＲＡＭ（図示せず）および液晶モニタ画面（ＬＣＤ）４１等から構成されており、制御部２０の表示制御により、撮像時のスルー画像、及び再生時の再生画像、本発明に基づくカレンダと動画像の連動表示、及び処理選択時の選択用メニュー（或いはアイコン）の表示等を行なう。
なお、表示部４０の画面を液晶表示素子からなる画面の上に透明な薄膜からなるタッチ電極面を設け、タッチペンや指でポイント可能に構成してポイント用表示ボタンを表示可能にしてもよい。
【００５４】
ＯＳＤデータ用ＲＯＭ４５には、表示部４０に表示するＯＳＤ（0n Screen Display）用の記号や、時計表示やカレンダ表示用のフォーマットや、図形および文字等のデジタル化された情報が登録されている。また、ＯＳＤデータ用ＲＯＭ４５は必須ではなくＯＳＤデータ用ＲＯＭ４５の代わりにメモリーカード５１上の特定領域や内部に固定されたフラッシュメモリ等の記録媒体上の特定領域に登録するようにしてもよい。
【００５５】
記録部５０は記録媒体を収容しＣＰＵ２１の制御によりメモリーカード５１上に信号処理部１３からの画像データを記録する。なお、実施例では記録部５０は記録媒体としてのメモリーカード５１を着脱可能に構成し、データの書き込み／読み出しを行なうように構成したが、内部に固定されたフラッシュメモリ等の記録媒体にデータの書き込み／読み出しを行なうように構成してもよい。
【００５６】
メモリーカード５１には、図３に示すように、管理領域５１−０と、静止画や動画の各画像の圧縮画像データ（画像ファイル）をそれぞれ記録する画像データ記録領域５１−１、音声データ記録領域５１−２、カレンダ表示データ記録領域５１−３、表示用テーブル領域５１−４が確保される。なお、静止画データを記憶する領域と動画を記憶する領域を別々に確保するようにしてもよい。
【００５７】
管理領域５１−０にはメモリーカード５１に記録された各種画像の情報を登録した画像管理ファイルや、本発明のカレンダ表示用の動画情報を記録した動画管理ファイル７０（図６）等が格納されている。なお、動画管理ファイル７０は本実施例では撮影時にメモリーカード５１に登録しているが、カレンダ表示モード時に編集するようにしてもよい。
【００５８】
縮小画像（サムネイル画像（例えば、画素数３２０×２４０画素））は後述するカレンダと動画の連動表示を実行する前段で作成される。縮小処理は、例えば、メモリーカード５１に記録されている画像データ（圧縮データ）を読み出して伸張し一旦ＤＲＡＭ１４に記憶し、その画素を縮小比率分間引くことにより行なわれる。なお、画像の記録時に信号処理部１３によって縮小画像を作成し、メモリーカード５１の所定の領域に記録するようにしてもよい。
【００５９】
また、音響入出力部４７を付加した構成では、音響入出力部４７は、音響を入力して電気信号（音響信号）に変換するマイクロフォン（音響入力装置）４８と電気信号（音響信号）を音響に変換して増幅し外部に出力するスピーカ（音響出力装置）４９を含んでいる。
音響データは、撮影時又は再生時に、音響入出力部４７のマイクロフォン４８から入力された音声が電気信号に変換されたものであり、ユーザの記録指示（例えば、キー操作による音響記録指示）があると、撮影画像又は再生画像に対応付けられて音声データ記録領域５１−２に記録される。
【００６０】
図４は画像データ記録領域５１−１に記録される動画ファイルのファイル構造の説明図であり、図４（ａ）は画像ファイルを示し、図４（ｂ）は動画撮影モードで撮影された静止画の例を示す図である。また、画像ファイルは動画撮影モードで連続して撮影された静止画データ列からなり、各静止画は静止画撮影モードで撮影された高解像度（例えば、６４０×４８２画素）の静止画よりも低い解像度（例えば、３２０×２４０画素）の画像であり、それぞれ圧縮データ形式（例えば、ＪＰＥＧ形式の圧縮画像データ）で記録されている。
【００６１】
図４で符号６１−１、６１−２、・・、６１−（ｎ−１）、６１−ｎは動画撮影モードで連続して撮影された静止画データ列を示す。符号６１−０はインデックス画像（代表画像の縮小データ）であり、静止画データ列６１−１、６１−２、・・・、６１−ｎの代表画像（先頭画像６１−１）を表示部４０に表示されるカレンダの日付欄に見合う程度の大きさ（例えば、１６０×１２０画素）に縮小した画像であり、カレンダモードが選択された場合にカレンダの日付欄のうち、撮影日と同じ日付欄に表示される。また、静止画列６１−１、６１−２、・・・、６１−ｎのうち符号６１−ｐで示した画像は、動画撮影中に静止画撮影モードに切換えて静止画の撮影を行った場合の高解像度の静止画を示す。符号６２はデジタルカメラ１００が音響入出力部４７を備えている場合に画像に関連付けて記録された音声データを示す。
【００６２】
カレンダの日付欄に表示されたインデックス画像をカーソル等でポイントすると静止画列６１−１、６１−２、・・・、６１−ｎが連続再生され、日付欄の大きさに縮小されてカレンダ上の対応する日付欄に表示される。また、画像ファイル６０が静止画撮影モードで撮影された高解像度の静止画６１−ｐを含む場合も、インデックス画像をカードル等でポイントすると静止画列６１−１、６１−２、・・・、６１−ｐ、・・・６１−ｎが連続再生され、日付欄の大きさに縮小されてカレンダ上の対応する日付欄に表示される（図９）。
【００６３】
図５はカレンダの日付欄の動画表示例を示す図である。また、図６は撮影メモリ（メモリーカード５１）に登録されている動画管理ファイルの構造例を示す図であり、図７は撮影メモリから読み出され、作業用メモリ（ＤＲＡＭ１４）に記憶される動画ファイルのファイル構成例を示す図である。
図５で、表示部４０に２００３年１月のカレンダ８０が表示され、図示のようにインデックス画像８１、８２、８３・・・が表示されたとすると（図５（ａ））、インデックス画像８１、８２、８３・・・は表示メモリ上で番号＃１〜＃１０のように配置される（図５（ｂ））。ここで、番号＃１〜＃ｎは図６の動画ファイル番号７１と対応付けられている。
【００６４】
図６の動画管理ファイル７０で、符号７１は動画ファイル番号欄７１を示し、符号７２は日付データ格納欄であり、日付データは撮影日からなる。画像ファイルは同一日付に撮影された画像を１グループとしたものであり、動画ファイル番号欄７１にはメモリーカード５１に記録された当該動画ファイルの代表画像（先頭画像）のアドレスが記録されている。なお、本実施例では、動画管理ファイル７０はカレンダモードが選択されるとメモリーカード５１の管理領域５１−０から読み出されてＤＲＡＭ１４の所定の領域にコピーされるが、動画管理ファイル７０をメモリーカード５１の管理領域５１−０に撮影時に記録しない構成では、カレンダモードが選択されたときメモリーカード５１の画像管理ファイルを基に編集してＤＲＡＭ１４に記録するようにしてもよい。
【００６５】
動画ファイルは、図７に示すように、ヘッダ６１−００、インデックス画像データ６１−０、圧縮データ（この例では、ＪＰＥＧ形式で圧縮された画像データ）６１−１、６１−２、・・・、６１−ｎ、及び音声データ６２からなっており（図４参照）、カレンダに表示されているインデックス画像がカーソル等でポイントされると、日付を基に、ＤＲＡＭ１４の動画管理ファイル７０をサーチして対応する動画ファイルに含まれる画像データ（圧縮データ）群の代表画像（先頭画像）の縮小データを作成し、当該画像データ群と共にＤＲＡＭ１４の所定エリアに記憶され、順次読み出されて伸張処理されてから日付欄の大きさに縮小されてカレンダ上の対応する日付欄に順次動画表示される（図８）。
【００６６】
また、動画ファイルが動画撮影された画像と静止画撮影モードで撮影された高解像度の静止画を含んでいる場合は図９に示すようにエンドレスにそれらの動画と静止画がスライドショー表示される。更に、ユーザがＤＩＳＰボタン３９を押すと相対的に大きな画像表示に切り替えられ、再度ＤＩＳＰボタン３９を押すと元の大きさに戻る。
また、選択した画像が静止画１枚の場合はそのまま表示される。更に、ユーザがＤＩＳＰボタン３９を押すと相対的に大きな画像表示に切り替えられ、再度ＤＩＳＰボタン３９を押すと元の大きさに戻る。
【００６７】
＜カレンダ上への画像連動表示＞  
図１０は、カレンダ上への動画表示動作例を示すフローチャートである。以下、図１〜図９を基にカレンダ上への動画表示プログラムによるデジタルカメラ１００のカレンダ上への動画表示動作について説明する。  
【００６８】
図１０で、ユーザがモードダイアル３１を廻してモード選択位置３１−０にアイコン３１−７を合わせるとカレンダ表示モードが選択されるので、制御部２０は操作部３０からの信号を調べ、カレンダ表示モードが選択されると（ステップＳ１）、先ず、ＯＳＤデータ用ＲＯＭ４５から現在月のカレンダデータを読み出して指定された月の月間カレンダを表示する。ユーザは所望のカレンダが月間カレンダ表示でない場合はＤＩＳＰボタン３９を押すので、制御部２０は、操作部３０からの信号を調べ、ＤＩＳＰボタン３９が押された場合は他のカレンダとの連動表示処理（図示せず）に進み、そうでない場合はカーソルキー３５の左（＜）、右（＞）操作が行われたか否かを調べてステップＳ３に進む（ステップＳ２）。
【００６９】
上記ステップＳ２で調べたカーソルキーの左右操作回数に応じて月数を進めるか遡らせた月の月間カレンダデータをＯＳＤデータ用ＲＯＭ４５から読み出して該当月の月間カレンダを表示し（ステップＳ３）、記録部５０を制御してメモリーカード５１の管理領域５１−０に登録されている動画管理ファイル７０の日付７２を検索し（ステップＳ４）、該当月撮影の画像グループ（動画ファイルや静止画像ファイル）がある場合はステップＳ６に進み、該当月撮影の画像グループがない場合は処理を終了する（ステップＳ５）。
【００７０】
該当月の動画ファイルがある場合はＤＲＡＭ１４にコピーした動画管理ファイル７０から該当月に撮影された動画の代表画像のメモリーカード５１上の記憶アドレスを取り出し、そのアドレスを元にメモリーカード５１から当該月の代表画像データを順次読み出して伸張してから縮小してインデックス画像６１−０（図４）を作成し、その代表画像の撮影日及び代表画像の記憶アドレスに対応付けてＤＲＡＭ１４の所定領域に記憶すると共に（ステップＳ６）、図５の例に示したように表示されているカレンダの日付のうち画像の撮影日に対応する日付欄にそれぞれインデックス画像を表示する（ステップＳ７）。
【００７１】
ユーザはカレンダの日付欄又はその近傍に表示されているインデック画像をカーソルキー３５の右（＞）、左（＜）操作により選択し、ＳＥＴキー３５１の押し下げにより指定することができる。そこで、制御部２０は操作部３０からの信号を調べ、インデックス画像の選択・指定操作が行われた場合はステップＳ９に進み、所定時間経過しても日付の選択・指定操作が行われない場合は処理を終了する（ステップＳ８）。
【００７２】
制御部２０は、選択されたインデックス画像に対応する代表画像のアドレス、つまり、ＤＲＡＭ１４に記憶した代表画像のアドレスを元にメモリーカード５１から動画ファイルに属する画像データ（圧縮データ）を読出して、図７に示したような動画ファイルに編集してＤＲＡＭ１４に記憶する（ステップＳ９）。
【００７３】
次に、制御部２０は動画ファイルを構成する画像を順次読み出してそれぞれの画像の種類を調べ、動画撮影モードで撮影された動画の場合はステップＳ１１に進み、静止画撮影モードで撮影された静止画の場合はステップＳ１２に進む（ステップＳ１０）。
【００７４】
選択された画像が動画の場合は、制御部２０は動画ファイルの画像データ（圧縮データ）を読み出し、伸張処理を施してから日付欄の大きさに縮小し、図１１に示す動画表示処理動作を実行して、選択された動画像以下の一連の動画像の縮小画像をインデックスの表示されていた日付欄に表示しステップＳ１３に進む。なお、ＤＩＳＰボタン３９が押されると動画を拡大表示し、ステップＳ１３に進む（ステップＳ１１）。
【００７５】
また、選択された画像が静止画の場合は、制御部２０は動画ファイルの画像データ（圧縮データ）を読み出し、伸張処理を施してから日付欄の大きさに縮小して静止画像の縮小画像をインデックスの表示されていた日付欄に表示しステップＳ１３に進む。なお、ＤＩＳＰボタン３９が押されると静止画を拡大表示し、ステップＳ１３に進む（ステップＳ１２）。
【００７６】
次に、表示した動画が該当日付に撮影された最後の画像か否かを調べ、最後の画像の場合はカレンダにインデックス画像を表示し終えたものとして処理を終了する。そうでない場合、つまり、同一日に複数組（一連の動画、静止画を合わせた数）の画像が撮影され、記録されている場合は、ステップＳ９に戻る（ステップＳ１３）。
【００７７】
なお、上記図１０のフローチャートの説明では、インデックス画像を日付欄に表示するようにしたが、日付欄又は日付に対応付けて表示すればよく、例えば、日付欄の近傍に表示するようにしてもよい。また、引き出し線や矢印等のマークで日付欄との関連がわかるように関連付けて表示するようにしてもよい。また、表示される画像はインデックス画像に限定されず、ＤＩＳＰキー３９のような表示時切り替えにより相対的に拡大した画像を日付欄又は日付に対応付けて表示することができる。
【００７８】
上記図７〜図９及び図１０のフローチャートに示した動作により、撮影日時に対応する月間カレンダ及び週間カレンダの日付欄或いはその近傍にインデックス画像を表示し、インデックス画像を選択（指定）すると選択されたインデックス画像が動画撮影された画像のインデックス画像の場合は動画表示するので、カレンダー表示のまま動画を確認することができる。
また、同一日に複数の画像（複数の組の動画、動画と静止画、複数の静止画）が撮影され、それらの画像データが記録されている場合には、インデックス画像が表示されている日付欄にカーソルを移動するだけで縮小画像が順次スライドショー表示されるので、その日に撮影された画像をカレンダ上で確認できる。
また、動画のインデックス画像や複数のインデックス画像のスライドショー表示の途中で表示切り替えを行って相対的に大きな画像として表示したり、元のインデックス画像に戻したりできるので、重要な場面やお気に入りの場面を拡大して見ることができる。
【００７９】
図１１は、図１０のフローチャートのステップＳ１１（動画表示処理）の詳細な動作を示すフローチャートである。  
【００８０】
図１０のステップＳ１１で、制御部２０は操作部３０からの信号を調べ、ＤＩＳＰボタン３９が押された場合はステップＳ１１−４に進み（ステップＳ１１−１）、押されていない場合はＤＲＡＭ１４に記憶した動画ファイルの画像データを取り出して伸張処理を施し、日付欄の大きさに縮小してカレンダの日付欄のうち選択されたインデックス画像が表示されていた日付欄に表示する（ステップＳ１１−２）。
【００８１】
一連または一組の画像が終了した場合は図１０のステップＳ１３に進み、そうでない場合はステップＳ１１−１に戻る（ステップＳ１１−３）。
【００８２】
上記ステップＳ１１−１でＤＩＳＰボタン３９が押された場合はＤＲＡＭ１４に記憶した動画ファイルの画像データを取り出して所定の大きさの画像に伸張処理し、再生表示する（ステップＳ１１−４）。
【００８３】
更に、制御部２０は操作部３０からの信号を調べ、ＤＩＳＰボタン３９が押された場合はインデックス画像に表示切替するためにステップＳ１１−２に戻り、押されていない場合はステップＳ１１−６に進む（ステップＳ１１−５）。また、一連の画像が終了した場合は図１０のステップＳ１３に進み、そうでない場合はステップＳ１１−４に戻る（ステップＳ１１−６）。
【００８４】
上記図１１のフローチャートに示した動作により、週間カレンダの日付欄或いはその近傍に表示されたインデックス画像が選択（指定）されると、選択されたインデックス画像が動画撮影された画像のインデックス画像の場合は、ステップＳ１１−２、Ｓ１１−３の経路で動画表示するので、カレンダー表示のまま動画を確認することができる。
また、ＤＩＳＰボタン３９が押されるとステップＳ１１−４、Ｓ１１−５の経路で相対的に大きな動画表示に表示切り替えし、再度ＤＩＳＰボタン３９が押されるとステップＳ１１−５、Ｓ１１ー２、Ｓ１１−３の経路で縮小された動画表示に表示切替できる。
なお、上記図１１のステップＳ１１−４の表示切り替え（縮小→拡大）では、圧縮画像データを画面上の他の画像の表示サイズ等に合わせた大きさに伸張処理することが望ましいが、一旦１フレーム分の大きさに伸張処理して再生してから、画素を間引いて画面上の他の画像の表示サイズ等に合わせた大きさにするようにしてもよい。
また、図１１のステップＳ１１−２の表示切り替え（拡大→縮小）では、動画像の圧縮データを日付欄に合わせた大きさに伸張処理し、再生表示するようにしてもよいし、一旦１フレーム分の大きさに伸張処理して再生してから、画素を間引いて日付欄に合わせた大きさにして表示するようにしてもよい。
また、上記説明では月間カレンダ及び週間カレンダの場合を例として説明したが、カレンダはそれらに限定されない。例えば、複数の日からなるカレンダでもよく、日別カレンダでもよいし、カレンダの形状に限定されない。
【００８５】
日別カレンダの場合は、時間帯欄や時間欄を設け、その時間帯や時間に撮影された画像のインデックス画像を時間帯欄や時間欄又はその近傍に表示し、上記図１０のフローチャートの動作を当てはめて、表示されているインデックス画像が動画のインデックス画像の場合はそれが選択されるとインデックス画像のまま動画表示するように構成できる。また、同一時間帯または時間に動画を含む複数の画像がある場合にも、上記図１０のフローチャートの動作を当てはめて、それらの画像をスライドショー表示することができる。また、インデックス画像から相対的に大きな画像への表示切り替えやその逆の表示切り替えも同様にできる。
【００８６】
（実施形態２）
上記実施形態１ではカレンダの日付や時刻に画像を対応付けて表示する例について述べたが、本実施形態では画像音響を対応付けて記録し、カレンダ上の画像を選択すると画像に関連付けられている音響を出力する例について述べる。
【００８７】
図１２は音響入出力部を備えた画像表示装置の一実施例の外観を示す図であり、画像表示装置としてデジタルカメラを例としたものである。
デジタルカメラ２００は、正面側（図１２（ａ））に撮像レンズ１１１、光学ファインダ１１２、測光センサ１１３、及びマイクロフォン４６を有している。また、デジタルカメラ２００の背面（図１２（ｂ））には液晶モニタ画面４１、光学ファインダ１１２、モードの切換えを行なうモードダイアル３１、液晶モニタスイッチ３２、メニューキー３４、カーソルキー３５、動画撮影開始／終了ボタン３８、表示切替え用のＤＩＳＰボタン３９等のスイッチ及びキー、及びスピーカ４７が設けられている。
また、上面には実施形態１の図１（ｃ）と同様、ズームレバー３３、シャッターキー３６、ストロボ設定キー３７、及び電源スイッチ９１が設けられ（図１（ｃ）参照）、側部にはパーソナルコンピュータ（以下、パソコン）やモデム等の外部装置とＵＳＢケーブルを接続する場合に用いるＵＳＢ端子接続部９５が設けられている。また、図示していないが底面にはクレードルとの接続を行うクレードル接続部が設けられている。また、正面等に赤外線通信やブルートゥース等の近接通信用の光送受口や無線通信用アンテナ、ＧＰＳ受信アンテナを設けるようにしてもよい。つまり、デジタルカメラ２００は図１で示したデジタルカメラ１００にマイクロフォン４６及びスピーカ４７を付加した外観をなしているものとする。
【００８８】
以下、画像表示装置としてデジタルカメラ２００を例とし、図２〜図４及び図１２を基に説明する。カレンダ上への動画表示の一実施例として前述した図５及び図６のカレンダを用いるものとする。
【００８９】
図１３はカレンダの日付と同一の日に撮影された画像（静止画や動画）が複数ある場合に、それらのインデックス画像８６、８７、８８をスライドショー表示した例であり、同一日に撮影された複数の画像（静止画、動画）がある場合はエンドレスにそれらのインデックス画像がスライドショー表示されると共に画像に対応付けられた音響情報がある場合はスピーカー４７から音響出力される。図１３の例は２組の動画８６、８８と１枚の静止画８７が撮影され、動画８６に対応付けられてナレーション（音響情報）が記録された例であり、撮影月のカレンダの撮影日の日付欄に、動画８６、動画８６のナレーション（音声）８６Ｂ、静止画８７、静止画動画、・・・の順でエンドレスにインデックス画像が表示される。なお、ＤＩＳＰボタン３９を押すとそれらの画像が相対的に大きく表示される。また、音声等の音響は動画８６の表示タイミングと並行して出力される。
【００９０】
＜カレンダ上への音響情報を含む動画表示動作例＞  
カレンダ上への音響情報を含む画像連動表示動作例を示すフローチャートは、動画表示処理（ステップＳ１１）を除き、図１０のフローチャート（音響情報を含む画像連動表示動作例）と同様でよい。
【００９１】
以下、音響情報を含む場合の動画表示処理（ステップＳ１１）について図１４のフローチャートを基に説明する。なお、以下の説明で、ステップＳ１１−２の動画表示処理とステップＳ１１−３、ステップＳ１１−４の音響出力処理は図示上は動画表示処理が先行しているように示されているが並列的に行われる。ステップＳ１１−５の動画表示処理とステップＳ１１−６、ステップＳ１１−７の音響出力処理についても同様である。
【００９２】
図１４は、図１０のフローチャートのステップＳ１１（動画表示処理）の詳細な動作を示すフローチャートであり、図１０のフローチャートのステップＳ１０で動画撮影モードで撮影された画像のインデックス画像が選択された場合の動作例を示す。
【００９３】
図１４で、制御部２０は操作部３０からの信号を調べ、ＤＩＳＰボタン３９が押された場合はステップＳ１１−６に進み（ステップＳ１１−１）、押されていない場合はＤＲＡＭ１４に記憶した動画ファイルの画像データを順次取り出して伸張処理を施し、日付欄の大きさに縮小し、表示部４０に送ってカレンダの日付欄のうち選択されたインデックス画像が表示されていた日付欄に順次表示（つまり、動画表示）させる（ステップＳ１１−２）。
【００９４】
上記ステップＳ１１−２で動画表示が開始される際、制御部２０はほぼ同時にＤＲＡＭ１４に記憶されている動画ファイルを調べ、音響データがある場合はステップＳ１１−４に進み、音響データがない場合はステップＳ１１−５に進む（ステップＳ１１−３）。
制御部２０は動画ファイルから音響データを取り出して音響入出力部４７で音響を再生し、スピーカ４７から順次出力させる（ステップＳ１１−４）。
【００９５】
一連または一組の動画の表示（及び音響出力）が終了した場合は図１０のステップＳ１１に進み、そうでない場合はステップＳ１１−１に戻る（ステップＳ１１−５）。
【００９６】
上記ステップＳ１１−１でＤＩＳＰボタン３９が押された場合は、制御部２０はＤＲＡＭ１４に記憶した動画ファイルの画像データを順次取り出して伸張処理を施し、所定の大きさの画像（インデックス画像より相対的に大きな画像）として伸張処理し、表示部４０に送って再生表示（つまり、動画表示）させる（ステップＳ１１−６）。
【００９７】
上記ステップＳ１１−６で動画表示が開始される際、制御部２０はほぼ同時にＤＲＡＭ１４に記憶されている動画ファイルを調べ、音響データがある場合はステップＳ１１−８に進み、音響データがない場合はステップＳ１１−９に進む（ステップＳ１１−７）。
制御部２０は動画ファイルから音響データを取り出して音響入出力部４７で音響を再生し、スピーカ４７から順次出力させる（ステップＳ１１−８）。
【００９８】
更に、制御部２０は操作部３０からの信号を調べ、ＤＩＳＰボタン３９が押された場合はインデックス画像に表示切替するためにステップＳ１１−２に戻り、押されていない場合はステップＳ１１−１０に進み（ステップＳ１１−９）、一連（一組）の動画の表示（及び音響出力）が終了した場合は図１０のステップＳ１１に進み、そうでない場合はステップＳ１１−１に戻る（ステップＳ１１−１０）。
【００９９】
上記図１４のフローチャートに示した動作により、週間カレンダの日付欄或いはその近傍に表示されたインデックス画像が選択（指定）されると、選択されたインデックス画像が動画撮影された画像のインデックス画像の場合は、ステップＳ１１−２、Ｓ１１−５の経路で縮小画像を動画表示するので、カレンダー表示のまま動画を確認することができる。  
【０１００】
また、音響情報がある場合はステップ１１−２〜Ｓ１１−５の経路で動画表示しながら音響出力するので、動画を見ながらその撮影の状況等を思い出すことができる。
ＤＩＳＰボタン３９が押されるとステップＳ１１−６〜Ｓ１１−１０の経路で相対的に大きな動画表示に表示切り替えし、再度ＤＩＳＰボタン３９が押されるとステップＳ１１−９、Ｓ１１ー２、Ｓ１１−３の経路で縮小された動画表示に表示切替できる。
【０１０１】
また、同一日に複数の画像（複数の組の動画、動画と静止画、複数の静止画）が撮影され、それらの画像データが記録されている場合には、表示されているインデックス画像をカーソル等で選択（指定）するだけでそれらのインデックス画像が順次スライドショー表示される（図１１参照）ので、その日に撮影された画像をカレンダ上で確認できる。また、画像に対応付けられた音響がある場合もスライドショー表示に追従して対応する音響が出力されるので撮影時の状況等を鮮明に思い出すことができる。
【０１０２】
なお、上記図１４のステップＳ１１−４の表示切り替え（縮小→拡大）では、圧縮画像データを画面上の他の画像の表示サイズ等に合わせた大きさに伸張処理することが望ましいが、一旦１フレーム分の大きさに伸張処理して再生してから、画素を間引いて画面上の他の画像の表示サイズ等に合わせた大きさにするようにしてもよい。
【０１０３】
また、図１４のステップＳ１１−２の表示切り替え（拡大→縮小）では動画像の圧縮データを日付欄に合わせた大きさに伸張処理し、再生表示するようにしてもよいし、一旦１フレーム分の大きさに伸張処理して再生してから、画素を間引いて日付欄に合わせた大きさにして表示するようにしてもよい。
【０１０４】
なお、上記説明では、月単位の日付カレンダに動画表示する例を示したが、動画表示されるカレンダは月単位の日付カレンダに限定されない。例えば、図１５に示すような週間カレンダ×時間単位のカレンダでもよい。この例では各曜日と日付の下に時間帯の枠が表示され、該当週に撮影された画像の代表画像９１、９２、９３、・・・を撮影該当日の該当する時間帯の欄に重畳表示するようにした例であり、カーソルで動画を含む代表画像がポイントされるとその動画ファイルが動画表示される。
【０１０５】
また、上記各実施例でメモリーカード５１に記録されている画像データはデジタルカメラ１００（２００）で撮影した画像に限定されない。例えば、ＵＳＢ端子接続部を介してＵＳＢケーブル接続された外部装置から受信し、記録された画像でもよい。赤外線通信やブルートゥース等の近接通信や無線通信により受信し、記録された画像でもよい。また、他の装置で予めメモリーカード５１に記録された画像でもよい。
【０１０６】
また、上記各実施形態で動画表示プログラムは予めプログラム格納ＲＯＭ２３に格納されているものとして説明したがこれに限定されない。例えば、ＵＳＢ端子接続部を介してＵＳＢケーブル接続された外部装置から受信してＲＡＭにダウンロードして実行するようにしてもよいし、赤外線通信やブルートゥース等の近接通信により受信してＲＡＭにダウンロードして実行するようにしてもよいし、インターネッ等のネットワーク（無線通信ネットワークを含む）で受信してＲＡＭにダウンロードして実行するようにしてもよい。
【０１０７】
（実施形態３）  
上記各実施形態では撮影画像をカレンダ表示する例について説明したが、撮影画像だけでなく転送された画像を指定された日に表示したり、撮影画像を指定した日に外部に転送することもできる。例えば、受信した画像や撮影画像の縮小画像等をスケジュールと連動させてカレンダ上の指定された日付欄に表示（スケジュール表示）をしたり、カレンダの指定された日付欄に転送する画像の縮小画像を表示することもできる。
本実施形態ではパソコン等の外部装置からデジタルカメラ等の画像表示装置に画像を転送するときに日時を指定するとデジタルカメラ側で画像と関連付けて指定された日時を記憶して転送された画像を指定された日に表示したり、画像を受信したときに日付を指定してカレンダ表示する例について図１〜図３、図１２及び下記図１６〜図２１を基に説明する。
【０１０８】
以下、画像表示装置として図１、図１２に示したデジタルカメラ１００、２００（以下、デジタルカメラ１００と記す）を例として説明する。なお、記憶部５０として内蔵メモリ（フラッシュメモリ）を用いたカメラでもよい。デジタルカメラ１００はメモリカード５１に図３に示したようなカレンダ表示用データ記憶領域５１−３及び表示用テーブル領域５１−４が確保されている。
【０１０９】
図１６は表示用テーブルの一実施例を示す図である。表示用テーブル１６０はパソコン等の外部情報装置でデジタルカメラ１００に画像を転送する際に指定した日付（又は日時）を記憶する指定日付欄１６１、カレンダ上の指定された日付欄に表示する縮小画像（或いはシンボルやテキストデータ）等の表示用データの記憶アドレスを格納する表示用データアドレス欄１６２、動画か静止画かの別を示す動画／静止画フラグ欄１６３、表示（又は転送）する画像の画像ファイル名を記憶する画像ファイル欄１６４、及び画像表示の際出力するは音響（又は音声）がある場合に音響（音声）ファイルの格納アドレスを記憶する音声ファイル欄１６５を有している。また、図示の例では、動画／静止画フラグ欄１６３の値が「０」の場合は動画を意味し、「１」の場合は静止画を意味するものとしたが図示の例に限定されない。
【０１１０】
図１７はパソコン等の外部装置からデジタルカメラへの画像転送の一実施例を示す図であり、符号３００はパソコン、符号３０１はパソコン３００に表示されている転送画像 、符号３０２は日時指定欄、符号３５０は画像転送機能及び充電機能を備えたクレードル、符号１０１はパソコン３００からクレードル３５０を介してデジタルカメラ１００に転送されたカレンダ表示画像の例、符号１０２はデジタルカメラ１００に転送された画像の再生画像である。
また、図１７（ｂ）はパソコン３００に表示された転送画像の拡大図であり、図１７（ｃ）はクレードル３５０に装着されたデジタルカメラ１００を示す図であり、クレードル３５０とパソコン３００はＵＳＢケーブル３１０で接続されている。図１７（ｄ）はデジタルカメラ１００に表示されたカレンダ上の表示画像（この例では画像３０１の縮小画像）１０２の拡大図である。
【０１１１】
図１７でパソコン３００に表示された画像３０１をクレードル３５０を介してデジタルカメラ１００に転送する際、キーボードからカレンダ表示する日付（日時、曜日、期間等）を入力し画像３０１と共に送信するとデジタルカメラ１００はクレードル３５０を介して受信した画像３０１をＤＲＡＭ１４に取り込み、画像３０１を縮小してデジタルカメラ１００の表示部４０に表示されているカレンダの日付欄のうち受信した指定日時に対応する日付欄に表示する。また、確認操作があると画像３０１をメモリーカード５１に保存記録すると共に図１６に示した表示用テーブル１６０に指定日付等の各テーブルデータを記憶する。パソコン３０１から転送する画像は写真だけでなく、検索結果や目的地の地図、予定表のキャプチャー等でもよい。また、画像は静止画だけでなく動画でもよい。
なお、図１７ではパソコン３００からクレードル３５０を介してデジタルカメラ１００に画像等のデータを転送する例を示したがこれに限定されない。例えば、デジタルカメラ１００とパソコン３００をケーブル接続してパソコン３００からデジタルカメラ１００にデータを転送するようにしてもよいし、インターネット等の通信ネットワーク（無線通信ネットワークも含む）を介してパソコン３００からデジタルカメラ１００にデータを転送するようにしてもよい。
【０１１２】
図１８は画像転送時のパソコン３００側の動作例を示すフローチャートであり、図１７に示したようにパソコン３００とクレードル３５０はＵＳＢ接続されているものとする。以下、図１８のステップＴ１〜Ｔ５の動作はパソコン３００にインストールされているスケジュール画像転送プログラムに従って動作するパソコン３００の制御部の制御動作に相当する。なお、パソコン３００は図示していないが制御プログラムやアプリケーションプログラムに従ってパソコン３００全体の動作を制御する制御部、データを記録するハードディスク等の保存メモリ、作業メモリ、画像やテキストデータ等を表示する表示部及び外部装置とのデータの授受を行うインターフェイス部を備えている。
【０１１３】
ユーザはまずパソコン３００とクレードル３５０がＵＳＢ接続されているか否かを確認し、デジタルカメラ１００をクレードル３５０に装着する（ステップＴ０）。次に、画像転送プログラムを起動させると、パソコン３００の制御部は保存メモリに記録されている画像を選択可能にマルチ表示して転送する画像の選択を促し（ステップＴ１）、ユーザが転送する画像を選択するとステップＴ３に進む（ステップＴ２）。
【０１１４】
パソコン３００の制御部は図１７（ｂ）の例に示すように選択画像３０１と日付指定欄３０２を表示してデジタルカメラ１００のカレンダに画像を表示する日時の入力を促し（ステップＴ３）、日時が入力されると表示日時指定データを生成し（ステップＴ４）、上記ステップＴ１で選択された画像の画像データ（画像ファイル）及び表示日時指定データをＵＳＢケーブルを介して外部に送信する。なお、画像データ及び指定日時データ送信の際はこれらのデータがカレンダの表示用データであることを意味する識別データを先頭に付加して送信するように構成することが望ましい（ステップＴ５）。
【０１１５】
なお、上記ステップＴ３での表示日時指定方法は日時の指定だけでなく、曜日指定、期間指定、日、曜日、又は期間の繰り返しからなる繰り返し指定等の指定を行うようにしてもよい。また、上記ステップＴ３を省略し（つまり、パソコン３００側では日時を指定せず）、デジタルカメラ１００側で日時を設定できるようにしてもよい。また、ステップＴ３とＴ４の間にテキスト入力やシンボル指定を行うを行うステップを設け、テキスト入力やシンボル指定があるとカレンダへの表示用データとして画像及び指定日時と共に転送するようにしてもよい。
また、日時等の指定だけでなく、音響入出力部４７（図２）から音声を入力するステップを設けてもよい。更に、画像と共に表示するデータとしてのテキスト入力を行うステップを設け、テキストデータとして画像及び指定日時等と共に転送するようにしてもよい。また、お気に入りの転送画像などは内蔵メモリへというように転送先を指定できるようにしてもよい。
【０１１６】
図１９は転送画像受信時のデジタルカメラ１００の動作例を示すフローチャートである。以下、図１９のステップＵ１〜Ｕ８の動作はデジタルカメラ１００にインストールされている連動表示画像受信プログラムに従って動作するデジタルカメラ１００の制御部２０の制御動作に相当する。
なお、図１９ではデジタルカメラ１００は図１７に示すようにクレードル３５０を介してパソコン３００画像等のデータを受信する場合を例として説明するがパソコン等の外部装置から転送画像を受信する方法はクレードルを介する方法に限定されない。例えば、デジタルカメラ１００とパソコン３００をケーブル接続してパソコン３００からデジタルカメラ１００に送信されたデータを受信するようにしてもよいし、インターネット等の通信ネットワーク（無線通信ネットワークも含む）を介してパソコン３００からデータを受信するようにしてもよい。
【０１１７】
ユーザは、先ずパソコン３００とクレードルがＵＳＢ接続されているか否かを確認し、デジタルカメラ１００をクレードル３５０に装着する（ステップＵ０）。次に、デジタルカメラ１００のモードダイアル３１を廻して受信モード位置３１−０にアイコン３１−６を合わせると受信モードが選択されるので、制御部２０は操作部３０からの信号を調べ受信モードが選択されるとステップＵ２に進む（ステップＵ１）。
【０１１８】
クレードル３５０を介してデータを受信すると（ステップＵ２）、制御部２０は受信したデータがカレンダとの連動表示用データであるか否かを調べ（ステップＵ３）、カレンダとの連動表示用データである場合は受信したデータ（画像データ、表示日時指定データ、音声データ等）を順次ＤＲＡＭ１４に一時記憶する。この際、画像データは圧縮処理されて記録される（ステップＵ４）。
【０１１９】
次に、制御部２０は受信データにテキストデータやシンボル等以外のカレンダ表示データ、つまり、画像データが含まれているか否かを調べ、含まれていない場合はステップＵ７に進み（ステップＵ５）、含まれている場合は信号処理部１３を制御して受信した画像をカレンダの日付欄に収まる大きさに縮小処理させ、カレンダとの連動表示用データとしてＤＲＡＭ１４に保持（一時記憶）する（ステップＵ６）。
【０１２０】
次に、制御部２０はＤＲＡＭ１４に記憶されている受信した画像データ（画像ファイル）、音声データがある場合は音声ファイル、及びカレンダとの連動表示用データを受信した画像と関連付けてメモリーカード５１に記録し（ステップＵ７）、更に、表示日時指定データ（ステップＵ６で記録した画像の指定日時）、表示用データの（メモリカード５１上の記録アドレス、記録した画像が動画か静止画かを示すフラグ、画像ファイル名、及び音声ファイル名を基に図１６に示した表示用テーブルデータを生成し、メモリーカード５１の表示用テーブル領域５１−４の表示用テーブル１６０に記憶（追加記憶）する（ステップＵ８）。
【０１２１】
上記図１９に示したフローチャートに示す動作により、デジタルカメラ１００はパソコン３００等の外部装置から転送されたカレンダとの連動表示用データを保持し、メモリカード５１やフラッシュメモリ等の内蔵メモリに記録しておくことができる。
【０１２２】
なお、パソコン３００で曜日指定を可能とし、デジタルカメラ１００で表示日時指定データとして曜日データを受信してもよいように構成した場合は、上記ステップＵ８で表示用テーブルデータの指定日時欄１６１に曜日データ（例えば、曜日に対応する記号）を記憶するようにしてもよいし、指定された曜日に対応する日付分だけ表示用テーブルデータを生成し、メモリーカード５１の表示用テーブル領域５１−４の表示用テーブル１６０に記憶（追加記憶）するようにしてもよい。
【０１２３】
また、パソコン３００で期間指定を可能とし、デジタルカメラ１００で表示日時指定データとして期間データを受信してもよいように構成した場合は、上記ステップＵ８で表示用テーブルデータの指定日時欄１６１に期間データ（例えば、期間の最初の日と終了日）を記憶するようにしてもよいし、指定された期間に対応する日付分だけ表示用テーブルデータを生成し、メモリーカード５１の表示用テーブル領域５１−４の表示用テーブル１６０に記憶（追加記憶）するようにしてもよい。
【０１２４】
また、パソコン３００で繰り返し指定を可能とし、デジタルカメラ１００で表示日時指定データとして繰り返しデータを受信してもよいように構成した場合は、上記ステップＵ８で表示用テーブルデータの指定日時欄１６１に期間データ（例えば、期間の最初の日と終了日と繰り返し回数）を記憶するようにしてもよいし、指定された期間と繰り返し回数に対応する日付分とだけ表示用テーブルデータを生成し、メモリーカード５１の表示用テーブル領域５１−４の表示用テーブル１６０に記憶（追加記憶）するようにしてもよい。
【０１２５】
また、パソコン３００側では日時や曜日等の表示日時指定を行わないようにした場合には、上記ステップＵ３とステップＵ４（又はステップＵ４とステップＵ５）の間に日時や曜日等の表示日時の入力を促し、入力させるステップを設けるようにする。この場合、例えば、カレンダを表示し、カレンダ上の日付をユーザがカーソルキー３５で指定すると表示日付が設定できるように構成してもよい。
【０１２６】
また、パソコン３００側を画像と共に表示するテキストデータ（画像表示用テキストデータ）入力を可能に構成し、上記ステップＵ７に画像表示用テキストデータを受信した場合は画像とそのテキストデータを合成するステップを設け、合成画像ファイルをメモリーカード５１に記録するようにしてもよいし、画像合成するステップを設けず、表示用テーブル１６０の表示用テーブルデータに画像表示用テキストデータの記憶アドレスを記憶するテキストデータ欄（図示せず）を設け、受信した画像表示用テキストデータを上記ステップＵ７で画像データと関連付けて記憶し、上記ステップＵ８で画像表示用テキストデータの記憶アドレスを表示用テーブルデータのテキストデータ欄に記憶するようにしてもよい。
【０１２７】
図２０はカレンダ表示の一実施例（図２０（ａ））及び日時到来時の表示例（図２０（ｂ））を示す図であり、符号１００はデジタルカメラ、符号４１０はカレンダ表示モードで液晶モニタ画面４１に表示されるカレンダ、符号４１１はカレンダ４１０上の指定された日時に対応する日付欄に表示されたカレンダ表示画像（この例ではパソコン３００から転送された画像３０１の縮小画像）である、符号４１２は日時が到来している場合に液晶モニタ４１に表示される再生画像であり、この例はカレンダ表示画像４１１が表示されている日付欄の日が到来ているとき、表示指示により表示された画像（この例ではパソコン３００から転送された画像３０１の再生画像）である。
【０１２８】
図２１はカレンダ表示モードにおける転送画像連動表示時のデジタルカメラの動作例を示すフローチャートである。以下、図２１のステップＶ１〜Ｖ９の動作はデジタルカメラ１００にインストールされているカレンダとの連動表示プログラムに従って動作するデジタルカメラ１００の制御部２０の制御動作に相当する。
【０１２９】
ユーザがモードダイアル３１を廻してモード選択位置３１−０にアイコン３１−７を合わせるとカレンダ表示モードが選択されるので、制御部２０は操作部３０からの信号を調べ、カレンダ表示モードが選択されると（ステップＶ１）、先ず、ＯＳＤデータ用ＲＯＭ４５から現在月のカレンダデータを読み出して現在月の月間カレンダを表示する。（ステップＶ２）。
【０１３０】
次に、制御部２０は記録部５０を制御してメモリーカード５１の表示用テーブル１６０に登録（記憶）されている表示用テーブルデータの指定日時欄１６１を検索し、該当月のカレンダに表示する連動表示用データがある場合はステップＶ４に進み、該当月のカレンダに表示するカレンダとの連動表示用データがない場合は処理を終了する（ステップＶ３）。
【０１３１】
表示用テーブル１６０から該当月のカレンダに表示する連動表示用データがあるカレンダ表示用テーブルデータを順次取り出してＤＲＡＭ１４に保持し（ステップＶ４）、カレンダ表示用テーブルデータの表示用データアドレス欄１６２に記憶されているアドレスを基にカレンダとの連動表示用データ（縮小画像、テキストデータ、シンボル等）をメモリカード５１のカレンダ表示データ記憶領域５１−３から読み出してカレンダ４１０上の該当する日付欄（図２０（ａ）参照））に表示する動作をＤＲＡＭ１４に保持したカレンダ表示用テーブルデータの数だけ繰り返し、カレンダ表示用テーブルデータの数だけ繰り返すとステップＶ６に進む（ステップＶ５）。
【０１３２】
ユーザがカーソルキー３５を操作してカレンダ上の日付欄にカーソルを移動させると、制御部２０は操作部３０からの信号を調べ、ユーザが更に転送画像を再生を表示するためにＤＩＳＰボタン３９を押した場合はステップＶ７に進み、所定時間経過してもＤＩＳＰボタン３９が押されないか、カレンダ表示モード終了操作が行われるとカレンダ表示処理を終了する（ステップＶ６）。
【０１３３】
ＤＩＳＰボタン３９が押された場合は、制御部２０はカーソルが位置する日付欄に表示されている画像（カレンダとの連動表示用データである縮小画像、又はテキスト、又はシンボル）に対応する画像ファイル（圧縮画像データ）をカレンダ表示用テーブルデータの画像ファイル欄１６４に記憶されているアドレスを基に取り出し、伸張処理を施させて再生し、転送画像を液晶モニタ画面４１に表示する。図２０の例ではカレンダ４１０上の日付欄に表示されている縮小画像４１１（図２０（ａ））をユーザがカーソル指定し、更にＤＩＳＰボタン３９を押したことにより対応する画像パソコン３００から転送された画像３０１（図１７（ａ））の再生画像４１２が表示されている（ステップＶ７）。
【０１３４】
更に、制御部２０は上記カレンダ表示用テーブルデータの音声ファイル欄１６５に音声ファイルのアドレスが記憶されているか否かを調べ（ステップＶ８）、記憶されている場合はそのアドレスを基にメモリカード５１から音声データを取り出し、音響入出力部４７に音声データを送り音声を再生出力させる（ステップＶ９）。
【０１３５】
上記図２１のフローチャートに示す動作により、デジタルカメラ１００はカレンダ表示モードで表示されるカレンダ上のデジタルカメラ側で設定した日付に関連付けてパソコン３００等の外部装置から転送されメモリカード５１（又は内蔵メモリ）に記録された画像の表示用データを表示できるので設定日付としてスケジュール表示日付を設定すればカレンダをスケジュール表示用としても利用できる。また、転送された画像を容易に探し出すことができる。また、指定日が到来していなくても所望のスケジュール画像を指定して転送された画像を再生表示することができるので、あらかじめ地図や路線等をチェックすることができる。
【０１３６】
また、画像データと共に、例えば、持ち物や注意事項等や案内等の音声データをパソコン３００等の外部装置から受信し、画像と関連付けて記録している場合には地図や経路を示す画像を表示すると略同時にそれらを音声出力できるので、登山や旅行等のレジャーやスポーツのスケジュールについて詳細なチェックをすることができる。
【０１３７】
なお、パソコン３００側を画像と共に表示するテキストデータ（画像表示用テキストデータ）入力を可能に構成し、表示用テーブル１６０の表示用テーブルデータに画像表示用テキストデータの記憶アドレスを記憶するテキストデータ欄（図示せず）を設け、画像表示用テキストデータを受信した場合、図１９のステップＵ７で画像データと関連付けて記憶し、図１９のステップＵ８で画像表示用テキストデータの記憶アドレスをテキストデータ欄記憶するように構成した場合は、上記図２１のステップＶ７に上記カレンダ表示用テーブルデータのテキストデータ欄にテキストデータの記憶アドレスが記憶されているか否かを判定するステップを設け、テキストデータのアドレスが記憶されている場合にはそのアドレスを基にテキストデータを取り出し同ステップＶ７で再生した画像データと合成するステップを設けることにより合成画像を表示するようにできる。
【０１３８】
このように構成することにより、画像データや音声データと共に、例えば、出発時間や集合場所等の各種案内用の等のテキストデータをパソコン３００等の外部装置から受信し、画像と関連付けて記録している場合には地図や経路を示す画像上に重畳表示されたそれらを案内メッセージを表示できるので、各種スケジュールについて画像だけよりも詳細な情報を得ることができる。
【０１３９】
また、上記ステップＶ２では月間カレンダを表示するようにしたが、表示するカレンダは週間カレンダでもよく、日時表示欄のあるカレンダでもよい。
【０１４０】
（実施形態４）  
上記実施形態３では画像が転送された際に指定された日時をデジタルカメラ側で記憶しカレンダ表示するようにしたが、転送画像だけでなく、撮影画像についても表示日時を指定して記憶しておき、指定日時が到来すると自動的に画像を再生表示可能なようにデジタルカメラ等の画像表示装置を構成することもできる。以下、本実施形態における実施例について図１〜図３、図１２、１７及び下記図２２、図２３を基に説明する。
【０１４１】
以下、画像表示装置として図１、図１２に示したデジタルカメラ１００、２００（以下、デジタルカメラ１００と記す）を例として説明する。なお、記憶部５０として内蔵メモリ（フラッシュメモリ）を用いたカメラでもよい。デジタルカメラ１００はメモリカード５１に図３に示したようなカレンダ表示用データ記憶領域５１−３及び表示用テーブル領域５１−４を備え、画像データ記録領域５１−１には外部装置から転送された画像や撮影画像が記録されており、これらの画像の一部又は全部は図１６に示したような構成の表示用テーブル１６０を介して表示日時又は外部装置への転送日時が関連付けられている。また、デジタルカメラ１００は内部計時機構（図示せず）を備え、日付プログラムにより現在日時を出力可能である。
【０１４２】
図２２は、指定された日時が到来した時、画像を自動的に再生表示する際のデジタルカメラの動作例を示すフローチャートである。以下、図２２のステップＷ１〜Ｗ９の動作はデジタルカメラ１００にインストールされている画像自動表示プログラムに従って動作するデジタルカメラ１００の制御部２０の制御動作に相当する。
【０１４３】
デジタルカメラ１００の電源が入れられると画像自動表示プログラムが起動され、制御部２０は表示用テーブル１６０の指定日時欄１６１に記憶されている指定日と現在日を比較し、指定日＝現在日の場合はステップＷ２に進み、そうでない場合は画像自動表示処理を終了する（ステップＷ１）。
【０１４４】
制御部２０は上記カレンダ表示用テーブルデータの画像ファイル欄１６４に記憶されているアドレスを基に指定日＝現在日の画像ファイル（圧縮画像データ）を取り出して伸張処理を施させて再生し、液晶モニタ画面４１に表示する（ステップＷ２）。
【０１４５】
更に、制御部２０は上記カレンダ表示用テーブルデータの音声ファイル欄１６５に音声ファイルのアドレスが記憶されているか否かを調べ（ステップＷ３）、記憶されている場合はそのアドレスを基にメモリカード５１から音声データを取り出し、音響入出力部４７に音声データを送り音声出力させる（ステップＷ４）。
【０１４６】
また、制御部２０は操作部３０からの信号を調べ、カレンダ表示のためにＤＩＳＰボタン３９が押された場合はステップＷ５に進み、カレンダ表示モード終了操作（例えばＳＥＴキー３５１の押下げ）がなされた場合は自動表示処理を終了する（ステップＷ５）。ＤＩＳＰボタン３９が押された場合は、制御部２０はＯＳＤデータ用ＲＯＭ４５から現在月のカレンダデータを読み出して現在月の月間カレンダを表示する。（ステップＷ６）。
【０１４７】
次に、制御部２０は記録部５０を制御してメモリーカード５１の表示用テーブル１６０に登録（記憶）されている表示用テーブルデータの指定日時欄１６１を検索し、表示用テーブル１６０から該当月のカレンダに表示するカレンダ表示用テーブルデータを順次取り出してＤＲＡＭ１４に保持し（ステップＷ７）、カレンダ表示用テーブルデータの表示用データアドレス欄１６２に記憶されているアドレスを基に表示用データ（縮小画像、テキストデータ、シンボル等）をメモリカード５１のカレンダ表示データ記憶領域５１−３から読み出してカレンダ４１０上の該当する日付欄（図２０（ａ）参照））に表示する動作をＤＲＡＭ１４に保持したカレンダ表示用テーブルデータの数だけ繰り返し、カレンダ表示用テーブルデータの数だけ繰り返すとステップＷ９に進む（ステップＷ８）。
【０１４８】
ユーザがカーソルキー３５を操作してカレンダ上の日付欄にカーソルを移動させると、制御部２０は操作部３０からの信号を調べ、ユーザが更に画像を再生を表示するためにＤＩＳＰボタン３９を押した場合はステップＷ１０に進み、所定時間経過してもＤＩＳＰボタン３９が押されないか、カレンダ表示モード終了操作が行われるとカレンダ表示処理を終了する（ステップＷ９）。
【０１４９】
ＤＩＳＰボタン３９が押された場合は、制御部２０は画像ファイル（圧縮画像データ）上記カレンダ表示用テーブルデータの画像ファイル欄１６４に記憶されているアドレスを基に取り出して伸張処理を施させて再生し、液晶モニタ画面４１に表示する（ステップＷ１０）。
【０１５０】
更に、制御部２０は上記カレンダ表示用テーブルデータの音声ファイル欄１６５に音声ファイルのアドレスが記憶されているか否かを調べ（ステップＷ１１）、記憶されている場合はそのアドレスを基にメモリカード５１から音声データを取り出し、音響入出力部４７に音声データを送り音声出力させる（ステップＷ１２）。
【０１５１】
上記図２２に示したフローチャートに示す動作により、デジタルカメラ１００の主電源がオンとなると現在日に表示指定された画像を自動表示するので、表示日付としてスケジュール表示日時、例えば、イベント等がある場合に関連する情報を含む画像にそのイベント開催日、を指定しておけばデジタルカメラ１００の主電源をオンにすれば画像が自動表示され、イベントに関連する情報を確認したり思い出したりすることができる。
また、ＤＩＳＰボタン３９の操作により表示日時が指定されている転送画像や撮影画像をカレンダ表示し、所望の日付欄を選択して画像を再生表示することができるので、指定日時を経過した画像や指定日時が到来していない画像を見ることもできる。
【０１５２】
なお、上記ステップＷ１で現在日が表示日として指定されている画像を自動表示するようにしたが、ステップＷ１の前段に「 制御部２０は液晶モニタ画面４１に自動表示する画像がある旨のメッセージ（例えば、「再生表示する画像があります。表示→「ＤＩＳＰ」）を表示或いは音声出力してユーザに確認を促すステップを設けるようにしてもよい。
【０１５３】
図２３は、撮影時に表示日時を指定する際のデジタルカメラの動作例を示すフローチャートである。
デジタルカメラ１００で撮影及び画像記録処理を終了すると（ステップＸ１）、制御部２０は撮影画像の表示日時を指定するか否かの選択を促すメッセージ（例えば、「表示日指定をする→ＳＥＴキー押し下げ」）と表示日時選択欄（図示せず）を表示部４０に表示し、ユーザの確認を促し（ステップＸ２）、表示日時が選択された場合はステップＸ４に進み、そうでない場合、例えば所定時間を経過した場合は処理を終了する（ステップＸ３）。
【０１５４】
制御部２０は信号処理部１３を制御して撮影画像をカレンダの日付欄に収まる大きさに縮小処理させ、カレンダとの連動表示用データとしてメモリーカード５１の記憶する（ステップＸ４）。次に、制御部は表示日時指定データ（ステップＸ３で選択された画像の指定日時）、上記ステップＸ４で得た連動用表示データの記憶アドレス、ステップＸ１で記録した画像が動画か静止画かを示すフラグ、及び画像ファイル名を基に、図１６に示した表示用テーブルデータを生成し、メモリーカード５１の表示用テーブル領域５１−４の表示用テーブル１６０に登録（追加記憶）する（ステップＸ５）。
【０１５５】
上記図２３に示したフローチャートに示す動作により、デジタルカメラ１００は撮影画像の記録時に撮影画像の表示日時を関連付けて記憶し、指定した日付にカレンダ表示できるので、例えば、設定日付としてスケジュール表示日付を設定すればカレンダをスケジュール表示用としても利用できる。
【０１５６】
なお、上記ステップＸ１では日時指定を促すメッセージを表示するようにしたが、音声により日時指定をメッセージを出力するようにしてもよい。また、上記ステップＸ３では日時の選択を行えるようにしたが、撮影画像の表示日時指定は日時に限定されない。例えば、曜日を指定できるように構成してもよいし、期間を指定できるように構成してもよいし、日、曜日、又は期間の繰り返しからなる繰り返し指定ができるようにしてもよい。
また、ステップＸ５の後段にテキスト入力やシンボル指定を行うを行うステップを設け、テキスト入力やシンボル指定があるとカレンダへの表示用データとして画像及び指定日時と共に転送するようにしてもよい。
また、日時等の指定だけでなく、音響入出力部４７から音声を入力するステップを設けてもよい。更に、画像と共に表示するデータとしてのテキスト入力を行うステップを設け、テキストデータとして画像及び指定日時等と共に転送するようにしてもよい。また、お気に入りの転送画像などは内蔵メモリへというように転送先を指定できるようにしてもよい。
【０１５７】
また、上記各実施形態ではデジタルカメラを画像表示装置の例として説明したが、画像表示装置という語はデジタルカメラに限定されない。例えば、表示部を備えた電子カメラや撮像装置、携帯電話、携帯情報端末、パソコン、画像記憶部及び表示部を備えた通信端末、画像表示部を備えたクレードル、などにも適用できる。
【０１５８】
以上、本発明の一実施例について説明したが本発明は上記実施例に限定されるものではなく、種々の変形実施が可能であることはいうまでもない。
【図面の簡単な説明】
【０１５９】
【図１】本発明のカレンダと動画の連動表示方法を適用可能な画像表示装置の一実施例の外観を示す図である。
【図２】図１に示したデジタルカメラの内部構成例を示すブロック図である。
【図３】メモリーカードの記憶領域の構成例を示す図である。
【図４】画像データ記録領域に記録される動画ファイルのファイル構造の一実施例を示す図である。
【図５】カレンダ上への画像連動表示の一実施例を示す図である。
【図６】動画管理ファイルの構造例を示す図である。
【図７】作業用メモリに記憶される動画ファイルのファイル構成例を示す図である。
【図８】カレンダ上でのスライドショー表示の一実施例を示す図である。
【図９】カレンダ上での動画表示の一実施例を示す図である。
【図１０】カレンダ上への画像連動表示動作例を示すフローチャートである。
【図１１】図１０のフローチャートの動画表示処理の詳細な動作を示すフローチャートである。
【図１２】画像表示装置の一実施例の外観を示す図である。
【図１３】インデックス画像のスライドショー表示の一実施例を示す図である。
【図１４】図１０のフローチャートの動画表示処理の詳細な動作を示すフローチャートである。
【図１５】カレンダでの動画表示の一実施例を示す図である。
【図１６】表示用テーブルの領域構成例を示す図である。
【図１７】外部装置からデジタルカメラへの画像転送の一実施例を示す図である。
【図１８】画像転送時のパソコン側の動作例を示すフローチャートである。
【図１９】転送画像受信時のデジタルカメラの動作例を示すフローチャートである。
【図２０】カレンダ表示の一実施例及び日時到来時の表示例を示す図である。
【図２１】カレンダ表示モードにおける転送画像連動表示時のデジタルカメラの動作例を示すフローチャートである。
【図２２】指定された日時が到来した時、画像を自動的に再生表示する際のデジタルカメラの動作例を示すフローチャートである。
【図２３】撮影時に表示日時を指定する際のデジタルカメラの動作例を示すフローチャートである。
【符号の説明】
【０１６０】
１３  信号処理部（画像再生手段）
２０  制御部（画像表示手段、時刻変更手段、カレンダ変更手段、強調表示手段、代表画像表示手段）
３５  カーソルキー（画像選択手段）
３９  ＤＩＳＰボタン（表示切替え手段）
４０  表示部（画像表示手段、カレンダ表示手段）
４７  音響入出力部
４８  マイクロフォン（音響入力手段）
４９  スピーカ（音響再生手段）
５１  メモリーカード（メモリ）
６０  画像ファイル
８０  月間カレンダ
９０  週間カレンダ
８１、８２、８３、９１、９２、９３  インデックス画像
１００、２００  デジタルカメラ（画像表示装置、撮像装置）
【図１】
2006050176.tif 000003
【図２】
2006050176.tif 000004
【図３】
2006050176.tif 000005
【図４】
2006050176.tif 000006
【図５】
2006050176.tif 000007
【図６】
2006050176.tif 000008
【図７】
2006050176.tif 000009
【図８】
2006050176.tif 000010
【図９】
2006050176.tif 000011
【図１０】
2006050176.tif 000012
【図１１】
2006050176.tif 000013
【図１２】
2006050176.tif 000014
【図１３】
2006050176.tif 000015
【図１４】
2006050176.tif 000016
【図１５】
2006050176.tif 000017
【図１６】
2006050176.tif 000018
【図１７】
2006050176.tif 000019
【図１８】
2006050176.tif 000020
【図１９】
2006050176.tif 000021
【図２０】
2006050176.tif 000022
【図２１】
2006050176.tif 000023
【図２２】
2006050176.tif 000024
【図２３】
2006050176.tif 000025